(57)【要約】      （修正有）【課題】本発明は、耐光性に優れインバランスが良好な画像が得られる感熱転写記録用シートを提供する。【解決手段】本発明は、基材と、染料層（イエロー染料層、マゼンタ染料層及びシアン染料層）とを有し、１つ以上の染料層中に１種以上の特定の化合物を含むと共に、イエロー染料及びシアン染料に１種以上の別の特定の化合物を含む感熱転写記録用シートに関する。また、本発明は、基材と、染料層と、画像面を保護するための保護層とを有し、該保護層に１種以上の特定の化合物を含むと共に、イエロー染料及びシアン染料に１種以上の別の特定の化合物を含む感熱転写記録用シートに関する。【選択図】なし【特許請求の範囲】
【請求項１】
基材、
イエロー染料を含むイエロー染料層、
マゼンタ染料を含むマゼンタ染料層、及び、
シアン染料を含むシアン染料層、
を有する感熱転写記録用シートであって、
該イエロー染料層、該マゼンタ染料層、及び、該シアン染料層のいずれか１つ以上の層は、下記一般式（１）及び（２）で表される化合物群から選ばれる１種以上の化合物を含み、
該イエロー染料が、下記一般式（３）〜（６）で表される化合物群から選ばれる１種以上の化合物を含み、
該シアン染料が、下記一般式（７）〜（９）で表される化合物群から選ばれる１種以上の化合物を含む、
ことを特徴とする感熱転写記録用シート。
【化１】
2018065382.tif 000055
［一般式（１）中、Ｒ１〜Ｒ８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示し、Ｒ１とＲ２、Ｒ３とＲ４、Ｒ５とＲ６、及び、Ｒ７とＲ８は、それぞれ結合して環を形成してもよく、Ｘ−は陰イオンを示す。］
【化２】
2018065382.tif 000056
［一般式（２）中、Ｒ’１〜Ｒ’８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示し、Ｒ’１とＲ’２、Ｒ’３とＲ’４、Ｒ’５とＲ’６、及び、Ｒ’７とＲ’８は、それぞれ結合して環を形成してもよく、Ｘ’−は陰イオンを示す。］
【化３】
2018065382.tif 000057
［一般式（３）中、Ｒ９〜Ｒ１２は、各々独立して、アルキル基、または、置換もしくは無置換のアリール基を示す。］
【化４】
2018065382.tif 000058
［一般式（４）中、Ｒ１３は、アルキル基、置換もしくは無置換のアリール基、または、置換もしくは無置換のアミノ基を示し、Ｒ１４は、水素原子、アルキル基、置換もしくは無置換のアリール基、または、−Ｎ（−Ｒａ）Ｒｂを示し、ただし、Ｒａ及びＲｂは、各々独立して、水素原子、アルキル基、または、アシル基を示し、ＲａとＲｂとが結合した窒素原子と一緒に環状構造を形成してもよく、Ｒ１５は、アルキル基を示し、Ｒ１６は、水素原子、または、アルキル基を示し、Ｙは、カルボニル基、または、スルホニル基を示し、ｎは、１〜３の整数を示す。］
【化５】
2018065382.tif 000059
［一般式（５）中、Ｒ１７及びＲ１８は、各々独立して、アルキル基、または、アリール基を示す。］
【化６】
2018065382.tif 000060
［一般式（６）中、Ｒ１９及びＲ２０は、各々独立して、アルキル基、または、アリール基を示す。］
【化７】
2018065382.tif 000061
［一般式（７）中、Ｒ２１〜Ｒ２５は、各々独立して、アルキル基、または、アリール基を示す。］
【化８】
2018065382.tif 000062
［一般式（８）中、Ｒ２６及びＲ２７は、各々独立して、アルキル基、または、置換もしくは無置換のアリール基を示す。］
【化９】
2018065382.tif 000063
［一般式（９）中、Ｒ２８〜Ｒ３２は、各々独立して、アルキル基、または、アリール基を示す。］
【請求項２】
前記一般式（１）中のＲ１〜Ｒ８が、各々独立して、置換もしくは無置換の炭素数１〜８のアルキル基を示す、請求項１に記載の感熱転写記録用シート。
【請求項３】
前記一般式（１）中のＲ１〜Ｒ８が、各々独立して、炭素数３〜８の無置換のアルキル基、または、炭素数３〜８のシアノアルキル基を示す、請求項２に記載の感熱転写記録用シート。
【請求項４】
前記一般式（１）中の、Ｒ１とＲ２、Ｒ３とＲ４、Ｒ５とＲ６、及び、Ｒ７とＲ８が、それぞれ同一の置換基を示す、請求項１〜３のいずれか一項に記載の感熱転写記録用シート。
【請求項５】
前記一般式（２）中のＲ’１〜Ｒ’８が、各々独立して、置換もしくは無置換の炭素数１〜８のアルキル基を示す、請求項１に記載の感熱転写記録用シート。
【請求項６】
前記一般式（２）中のＲ’１〜Ｒ’８が、各々独立して、炭素数３〜８の無置換のアルキル基、または、炭素数３〜８のシアノアルキル基を示す、請求項５に記載の感熱転写記録用シート。
【請求項７】
前記一般式（２）中の、Ｒ’１とＲ’２、Ｒ’３とＲ’４、Ｒ’５とＲ’６、及び、Ｒ’７とＲ’８が、それぞれ同一の置換基を示す、請求項１、５及び６のいずれか一項に記載の感熱転写記録用シート。
【請求項８】
前記マゼンタ染料が、下記一般式（１０）〜（１４）で表される化合物群から選ばれる１種以上の化合物を含む、請求項１〜７のいずれか一項に記載の感熱転写記録用シート。
【化１０】
2018065382.tif 000064
［一般式（１０）中、Ｒ３３は、エーテル官能性の酸素原子を含んでいてもよいアルキル基、または、置換もしくは無置換のアリール基を示す。］
【化１１】
2018065382.tif 000065
［一般式（１１）中、Ｒ３４及びＲ３５は、各々独立して、アルキル基、または、置換もしくは無置換のアリール基を示す。］
【化１２】
2018065382.tif 000066
［一般式（１２）中、Ｒ３６〜Ｒ４０は、各々独立して、アルキル基、または、置換もしくは無置換のアリール基を示す。］
【化１３】
2018065382.tif 000067
［一般式（１３）中、Ｒ４１〜Ｒ４４は、各々独立して、アルキル基、または、置換もしくは無置換のアリール基を示す。］
【化１４】
2018065382.tif 000068
［一般式（１４）中、Ｒ４５及びＲ４６は、各々独立して、アルキル基を示し、Ｒ４７は、水素原子、アルキル基、または、置換もしくは無置換のアリール基を示し、Ｒ４８は、アルキル基、または、置換もしくは無置換のアリール基を示し、Ｒ４９は、水素原子、アルキル基、置換もしくは無置換のアリール基、または、−Ｎ（−Ｒ５０）Ｒ５１を示し、ただし、Ｒ５０及びＲ５１は、各々独立して、水素原子、アルキル基、アリール基、または、アシル基を示すか、あるいは、Ｒ５０とＲ５１とが結合した窒素原子と一緒に形成する環状構造を示す。］
【請求項９】
前記イエロー染料層、前記マゼンタ染料層、及び、前記シアン染料層が、前記基材上に面順次に形成されている、請求項１〜８のいずれか一項に記載の感熱転写記録用シート。
【請求項１０】
基材、
イエロー染料を含むイエロー染料層、
マゼンタ染料を含むマゼンタ染料層、
シアン染料を含むシアン染料層、並びに、
該イエロー染料層、該マゼンタ染料層、及び、該シアン染料層を被転写体上に転写して形成される画像面を保護するための保護層、
を有する感熱転写記録用シートであって、
該保護層は、下記一般式（１）及び（２）で表される化合物群から選ばれる１種以上の化合物を含み、
該イエロー染料が、下記一般式（３）〜（６）で表される化合物群から選ばれる１種以上の化合物を含み、
該シアン染料が、下記一般式（７）〜（９）で表される化合物群から選ばれる１種以上の化合物を含む、
ことを特徴とする感熱転写記録用シート。
【化１５】
2018065382.tif 000069
［一般式（１）中、Ｒ１〜Ｒ８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示し、Ｒ１とＲ２、Ｒ３とＲ４、Ｒ５とＲ６、及び、Ｒ７とＲ８は、それぞれ結合して環を形成してもよく、Ｘ−は陰イオンを示す。］
【化１６】
2018065382.tif 000070
［一般式（２）中、Ｒ’１〜Ｒ’８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示し、Ｒ’１とＲ’２、Ｒ’３とＲ’４、Ｒ’５とＲ’６、及び、Ｒ’７とＲ’８は、それぞれ結合して環を形成してもよく、Ｘ’−は陰イオンを示す。］
【化１７】
2018065382.tif 000071
［一般式（３）中、Ｒ９〜Ｒ１２は、各々独立して、アルキル基、または、置換もしくは無置換のアリール基を示す。］
【化１８】
2018065382.tif 000072
［一般式（４）中、Ｒ１３は、アルキル基、置換もしくは無置換のアリール基、または、置換もしくは無置換のアミノ基を示し、Ｒ１４は、水素原子、アルキル基、置換もしくは無置換のアリール基、または、−Ｎ（−Ｒａ）Ｒｂを示し、ただし、Ｒａ及びＲｂは、各々独立して、水素原子、アルキル基、または、アシル基を示し、ＲａとＲｂとが結合した窒素原子と一緒に環状構造を形成してもよく、Ｒ１５は、アルキル基を示し、Ｒ１６は、水素原子、または、アルキル基を示し、Ｙは、カルボニル基、または、スルホニル基を示し、ｎは、１〜３の整数を示す。］
【化１９】
2018065382.tif 000073
［一般式（５）中、Ｒ１７及びＲ１８は、各々独立して、アルキル基、または、アリール基を示す。］
【化２０】
2018065382.tif 000074
［一般式（６）中、Ｒ１９及びＲ２０は、各々独立して、アルキル基、または、アリール基を示す。］
【化２１】
2018065382.tif 000075
［一般式（７）中、Ｒ２１〜Ｒ２５は、各々独立して、アルキル基、または、アリール基を示す。］
【化２２】
2018065382.tif 000076
［一般式（８）中、Ｒ２６及びＲ２７は、各々独立して、アルキル基、または、置換もしくは無置換のアリール基を示す。］
【化２３】
2018065382.tif 000077
［一般式（９）中、Ｒ２８〜Ｒ３２は、各々独立して、アルキル基、または、アリール基を示す。］
【請求項１１】
前記一般式（１）中のＲ１〜Ｒ８が、各々独立して、置換もしくは無置換の炭素数１〜８のアルキル基を示す、請求項１０に記載の感熱転写記録用シート。
【請求項１２】
前記一般式（１）中のＲ１〜Ｒ８が、各々独立して、炭素数３〜８の無置換のアルキル基、または、炭素数３〜８のシアノアルキル基を示す、請求項１１に記載の感熱転写記録用シート。
【請求項１３】
前記一般式（１）中の、Ｒ１とＲ２、Ｒ３とＲ４、Ｒ５とＲ６、及び、Ｒ７とＲ８が、それぞれ同一の置換基を示す、請求項１０〜１２のいずれか一項に記載の感熱転写記録用シート。
【請求項１４】
前記一般式（２）中のＲ’１〜Ｒ’８が、各々独立して、置換もしくは無置換の炭素数１〜８のアルキル基を示す、請求項１０に記載の感熱転写記録用シート。
【請求項１５】
前記一般式（２）中のＲ’１〜Ｒ’８が、各々独立して、炭素数３〜８の無置換のアルキル基、または、炭素数３〜８のシアノアルキル基を示す、請求項１４に記載の感熱転写記録用シート。
【請求項１６】
前記一般式（２）中の、Ｒ’１とＲ’２、Ｒ’３とＲ’４、Ｒ’５とＲ’６、及び、Ｒ’７とＲ’８が、それぞれ同一の置換基を示す、請求項１０、１４及び１５のいずれか一項に記載の感熱転写記録用シート。
【請求項１７】
前記マゼンタ染料が、下記一般式（１０）〜（１４）で表される化合物群から選ばれる１種以上の化合物を含む、請求項１０〜１６のいずれか一項に記載の感熱転写記録用シート。
【化２４】
2018065382.tif 000078
［一般式（１０）中、Ｒ３３は、エーテル官能性の酸素原子を含んでいてもよいアルキル基、または、置換もしくは無置換のアリール基を示す。］
【化２５】
2018065382.tif 000079
［一般式（１１）中、Ｒ３４及びＲ３５は、各々独立して、アルキル基、または、置換もしくは無置換のアリール基を示す。］
【化２６】
2018065382.tif 000080
［一般式（１２）中、Ｒ３６〜Ｒ４０は、各々独立して、アルキル基、または、置換もしくは無置換のアリール基を示す。］
【化２７】
2018065382.tif 000081
［一般式（１３）中、Ｒ４１〜Ｒ４４は、各々独立して、アルキル基、または、置換もしくは無置換のアリール基を示す。］
【化２８】
2018065382.tif 000082
［一般式（１４）中、Ｒ４５及びＲ４６は、各々独立して、アルキル基を示し、Ｒ４７は、水素原子、アルキル基、または、置換もしくは無置換のアリール基を示し、Ｒ４８は、アルキル基、または、置換もしくは無置換のアリール基を示し、Ｒ４９は、水素原子、アルキル基、置換もしくは無置換のアリール基、または、−Ｎ（−Ｒ５０）Ｒ５１を示し、ただし、Ｒ５０及びＲ５１は、各々独立して、水素原子、アルキル基、アリール基、または、アシル基を示すか、あるいは、Ｒ５０とＲ５１とが結合した窒素原子と一緒に形成する環状構造を示す。］
【請求項１８】
前記イエロー染料層、前記マゼンタ染料層、前記シアン染料層及び前記保護層が、該基材上に面順次に形成されている、請求項１０〜１７のいずれか一項に記載の感熱転写記録用シート。
【発明の詳細な説明】
【技術分野】
【０００１】
本発明は、感熱転写記録用シートに関する。
【背景技術】
【０００２】
近年、携帯式カラーディスプレイデバイスの普及に伴い、デバイスで撮影、または、作成した写真や書類を手軽にカラープリントする需要が高まっている。これらに対応するカラープリント方式としては、電子写真方式、インクジェット方式、感熱転写記録方式などが挙げられる。その中でも感熱転写記録方式は、ドライプロセスでプリントできること、小型でプリンターの携帯性に優れることから、周囲の環境によらず、手軽にプリントできる方法として優れている。また、色材として染料を用いているため、色材の濃度階調で画像の濃淡を表現できることから、画像の鮮明性及び色の再現性に優れる。
【０００３】
感熱転写記録方式では、シート状の基材上に熱移行性の色材（染料）を含む色材層を有する感熱転写記録用シートと、色材受容層を表面に有する受像シートとを重ね合わせる。そして、感熱転写記録用シートを加熱することにより、このシート中の色材を、受像シートに転写して記録を行う。この方式では、イエロー、マゼンタ及びシアンを重ねて記録するため、混色した場合に、染料間での触媒褪色が起こることが知られている。そのため、単色では耐光性が高い染料を用いても、混色時、各色間において耐光性に差が生じ、例えば記録後にブラック中でシアンのみが褪色し、画像が赤味や黄味を帯びてしまう場合があった。このような画像中での各色間の褪色度合いの差を「インバランス」という。すべての色が同じ程度に褪色する場合は「インバランスが良好」といい、特定の色のみが褪色する場合は「インバランスが不良」という。
【０００４】
ここで、特許文献１には、退色防止剤を含有することにより、感熱転写後の色素の耐光性を向上させることができる感熱転写シートが開示されている。また、特許文献２には、画像が形成された被転写体に高い耐光性を付与することができる保護層転写シートとして、表面層に、スチレンと紫外線吸収性単量体とを少なくとも共重合してなる共重合体を含む保護層転写シートが開示されている。
【先行技術文献】
【特許文献】
【０００５】
【特許文献１】特開２００１−１５８８７９号公報
【特許文献２】特開２０１２−２５０４００号公報
【発明の概要】
【発明が解決しようとする課題】
【０００６】
しかし、特許文献１及び２に記載の方法では、インバランスに対する向上効果が小さい場合があり、インバランスがより改善された感熱転写記録用シートの開発が求められている。
【０００７】
そこで、本発明の目的は、耐光性に優れ、かつ、インバランスが改善された画像を得ることができる感熱転写記録用シートを提供することである。
【課題を解決するための手段】
【０００８】
本発明は、基材、イエロー染料を含むイエロー染料層、マゼンタ染料を含むマゼンタ染料層、及びシアン染料を含むシアン染料層を有する感熱転写記録用シートであって、該イエロー染料層、該マゼンタ染料層、及び、該シアン染料層のいずれか１つ以上の層は、下記一般式（１）及び（２）で表される化合物群から選ばれる１種以上の化合物を含み、該イエロー染料が、下記一般式（３）〜（６）で表される化合物群から選ばれる１種以上の化合物を含み、該シアン染料が、下記一般式（７）〜（９）で表される化合物群から選ばれる１種以上の化合物を含むことを特徴とする感熱転写記録用シートである。
【０００９】
【化１】
2018065382.tif 000002
【００１０】
一般式（１）中、Ｒ１〜Ｒ８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示し、Ｒ１とＲ２、Ｒ３とＲ４、Ｒ５とＲ６、及び、Ｒ７とＲ８は、それぞれ結合して環を形成してもよく、Ｘ−は陰イオンを示す。
【００１１】
【化２】
2018065382.tif 000003
【００１２】
一般式（２）中、Ｒ’１〜Ｒ’８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示し、Ｒ’１とＲ’２、Ｒ’３とＲ’４、Ｒ’５とＲ’６、及び、Ｒ’７とＲ’８は、それぞれ結合して環を形成してもよく、Ｘ’−は陰イオンを示す。
【００１３】
【化３】
2018065382.tif 000004
【００１４】
一般式（３）中、Ｒ９〜Ｒ１２は、各々独立して、アルキル基、または、置換もしくは無置換のアリール基を示す。
【００１５】
【化４】
2018065382.tif 000005
【００１６】
一般式（４）中、Ｒ１３は、アルキル基、置換もしくは無置換のアリール基、または、置換もしくは無置換のアミノ基を示し、Ｒ１４は、水素原子、アルキル基、置換もしくは無置換のアリール基、または、−Ｎ（−Ｒａ）Ｒｂを示す。ただし、Ｒａ及びＲｂは、各々独立して、水素原子、アルキル基、または、アシル基を示し、ＲａとＲｂとが結合した窒素原子と一緒に環状構造を形成してもよい。Ｒ１５はアルキル基を示し、Ｒ１６は、水素原子、または、アルキル基を示し、Ｙは、カルボニル基、または、スルホニル基を示し、ｎは、１〜３の整数を示す。
【００１７】
【化５】
2018065382.tif 000006
【００１８】
一般式（５）中、Ｒ１７及びＲ１８は、各々独立して、アルキル基、または、アリール基を示す。
【００１９】
【化６】
2018065382.tif 000007
【００２０】
一般式（６）中、Ｒ１９及びＲ２０は、各々独立して、アルキル基、または、アリール基を示す。
【００２１】
【化７】
2018065382.tif 000008
【００２２】
一般式（７）中、Ｒ２１〜Ｒ２５は、各々独立して、アルキル基、または、アリール基を示す。
【００２３】
【化８】
2018065382.tif 000009
【００２４】
一般式（８）中、Ｒ２６及びＲ２７は、各々独立して、アルキル基、または、置換もしくは無置換のアリール基を示す。
【００２５】
【化９】
2018065382.tif 000010
【００２６】
一般式（９）中、Ｒ２８〜Ｒ３２は、各々独立して、アルキル基、または、アリール基を示す。
【００２７】
また本発明は、基材、イエロー染料を含むイエロー染料層、マゼンタ染料を含むマゼンタ染料層、シアン染料を含むシアン染料層、並びに、該イエロー染料層、該マゼンタ染料層、及び、該シアン染料層を被転写体上に転写して形成される画像面を保護するための保護層、を有する感熱転写記録用シートであって、該保護層は、該一般式（１）及び（２）で表される化合物群から選ばれる１種以上の化合物を含み、該イエロー染料が、該一般式（３）〜（６）で表される化合物群から選ばれる１種以上の化合物を含み、該シアン染料が、該一般式（７）〜（９）で表される化合物群から選ばれる１種以上の化合物を含むことを特徴とする感熱転写記録用シートである。
【発明の効果】
【００２８】
以上説明したように、本発明によれば、耐光性に優れ、かつ、インバランスが改善された画像を得ることができる感熱転写記録用シートを提供することができる。
【発明を実施するための形態】
【００２９】
本発明の他の特徴は、添付された図面を参照して各種の実施形態を例示する以下の説明により明らかにされる。
【００３０】
以下に、本発明を詳細に説明する。
【００３１】
本発明者らは、上記課題を解決すべく鋭意検討を行った結果、以下の第１及び第２の感熱転写記録用シートにより、インバランスが良好で耐光性に優れる画像が得られることを見出した。
【００３２】
第１の感熱転写記録用シートは、少なくとも、基材と、基材上に、３種の染料層（イエロー染料層、マゼンタ染料層及びシアン染料層）とを有する。これらの染料層は、各染料層に応じた染料（イエロー染料、マゼンタ染料またはシアン染料）を含有する組成物（イエロー染料組成物、マゼンタ染料組成物またはシアン染料組成物）を用いて形成される。そして、これらの３種の染料層のうちの１種以上の染料層が、一般式（１）及び（２）で表される化合物群から選ばれる１種以上の化合物（以下、「第１化合物」と称することがある）を含む。例えば、イエロー染料層の形成に第１化合物を用いる場合は、イエロー染料層は、第１化合物とイエロー染料とを少なくとも含有する組成物（イエロー染料組成物）を調製して形成される。
【００３３】
また、第１の感熱転写記録用シートは、イエロー染料層に用いるイエロー染料に、一般式（３）〜（６）で表される化合物群から選ばれる１種以上の化合物を用いる。さらに、シアン染料層に用いるシアン染料に、一般式（７）〜（９）で表される化合物群から選ばれる１種以上の化合物を用いる。
【００３４】
このように、第１の感熱転写記録用シートは、特定のイエロー染料及びシアン染料、並びに第１化合物を用いる点に特徴を有する。
【００３５】
第２の感熱転写記録用シートは、少なくとも、基材と、基材上に３種の染料層（イエロー染料層、マゼンタ染料層及びシアン染料層）と、保護層とを有する。そして、その保護層中に、第１化合物を含む。
【００３６】
また、第１の感熱転写記録用シートと同様に、イエロー染料層に用いるイエロー染料に、一般式（３）〜（６）で表される化合物群から選ばれる１種以上の化合物を用いる。さらに、シアン染料層に用いるシアン染料に、一般式（７）〜（９）で表される化合物群から選ばれる１種以上の化合物を用いる。
【００３７】
このように、第２の感熱転写記録用シートは、保護層に第１化合物を用い、染料層に特定のイエロー染料及びシアン染料を用いる点に特徴を有する。
【００３８】
なお、第１の感熱転写記録用シートは、第１化合物を含む保護層（後述する転写性保護層）を有することができる。また、第２の感熱転写記録用シートは、染料層（例えばイエロー染料層）中に第１化合物を含むことができる。この場合、第１及び第２の感熱転写記録用シートは、同一の形態となる。
【００３９】
以下に、第１及び第２の感熱転写記録用シートについて、より詳細に説明する。
【００４０】
（Ｉ）第１の感熱転写記録用シート
第１の感熱転写記録用シートは、基材、並びに基材上に、特定のイエロー染料を含有するイエロー染料層と、マゼンタ染料を含有するマゼンタ染料層と、特定のシアン染料を含有するシアン染料層とを少なくとも有する。そして、これら層のうちの少なくとも１種の染料層に、第１化合物を含む。
【００４１】
なお、第１の感熱転写記録用シートは、上記３種以外の染料層（例えばブラック染料層）等を有することもできる。
【００４２】
以下に、第１の感熱転写記録用シートの構成について詳細に説明する。
【００４３】
（Ｉ−１）基材
第１の感熱転写記録用シートが有する基材は、染料層を支持するものである。基材としては特に限定されず、感熱転写記録用シートの分野で従来公知の、適度な耐熱性と強度とを有する基材を用いることができる。
【００４４】
基材としては、例えば、ポリエチレンテレフタレートフィルム、ポリエチレンナフタレートフィルム、ポリカーボネートフィルム、ポリイミドフィルム、ポリアミドフィルム、アラミドフィルム、ポリスチレンフィルム、１，４−ポリシクロヘキシレンジメチレンテレフタレートフィルム、ポリサルホンフィルム、ポリプロピレンフィルム、ポリフェニレンサルフィドフィルム、ポリビニルアルコールフィルム、セロハンフィルム、セルロース誘導体フィルム、ポリエチレンフィルム、ポリ塩化ビニルフィルム、ナイロンフィルム、コンデンサー紙、パラフィン紙が挙げられる。これらの中でも、ポリエチレンテレフタレートフィルムが、機械的強度、耐溶剤性、及び経済性の観点から、基材として好ましい。
【００４５】
・基材の厚み
基材の厚さは、０．５μｍ以上５０μｍ以下とすることができ、転写性の観点から、３μｍ以上１０μｍ以下の厚さとすることが好ましい。
【００４６】
・接着処理（接着層）
基材上に、各染料層を形成するために染料を含む組成物（染料組成物）を塗布する場合、染料組成物の濡れ性及び接着性等が不足する場合がある。そのため基材は、必要に応じてその塗工面に接着処理を行うことが好ましい。
【００４７】
接着処理としては特に限定されず、感熱転写記録用シートの分野で公知の方法を用いることができる。接着処理としては、例えば、オゾン処理、コロナ放電処理、紫外線処理、プラズマ処理、低温プラズマ処理、プライマー処理、化学薬品処理を挙げることができる。また、これらの処理を２つ以上組み合わせて行っても良い。また、基材の接着処理には、基材上に接着層を塗工する方法を用いても良い。
【００４８】
この接着層としては特に限定されず、感熱転写記録用シートの分野で公知の接着層を用いることができる。
【００４９】
接着層に用いる材料としては、例えば、ポリエステル樹脂、ポリスチレン樹脂、ポリアクリル酸エステル樹脂、ポリアミド樹脂、ポリエーテル樹脂、ポリ酢酸ビニル樹脂、ポリエチレン樹脂、ポリプロピレン樹脂、ポリ塩化ビニル樹脂、ポリビニルアルコール樹脂、ポリビニルブチラール樹脂等の有機材料、シリカ、アルミナ、炭酸マグネシウム、酸化マグネシウム、酸化チタン等の無機微粒子が挙げられる。
【００５０】
・耐熱滑性層
耐熱性やサーマルヘッドの走行性を向上させる目的で、基材の染料層がある面と反対側の面に耐熱滑性層を設けることが好ましい。
【００５１】
耐熱滑性層は、耐熱樹脂を含む層からなる。耐熱樹脂としては特に限定されず、例えば以下の樹脂を用いることができる。即ち、ポリビニルブチラール樹脂、ポリビニルアセタール樹脂、ポリエステル樹脂、ポリエーテル樹脂、ポリブタジエン樹脂、塩化ビニル―酢酸ビニル共重合体樹脂、スチレン−ブタジエン共重合体樹脂、ポリウレタンアクリレート、ポリエステルアクリレート、ポリイミド樹脂、ポリカーボネート樹脂等。
【００５２】
また、耐熱滑性層は、架橋剤、離型剤、潤滑剤及び滑り性付与剤等の添加剤を含んでいても良い。潤滑剤としては、例えば、アミノ変性シリコーン化合物、カルボキシ変性シリコーン化合物が挙げられる。また、滑り性付与剤としては、例えば、耐熱性微粒子であるシリカ等の微粒子が挙げられる。
【００５３】
耐熱滑性層は、耐熱樹脂及び添加剤等を溶剤に加え、溶解または分散させて調製した耐熱滑性層塗布液を、基材に塗布及び乾燥することで形成することができる。耐熱滑性層塗布液を塗布する方法としては特に限定されず、例えば、バーコーター、グラビアコーター、リバースロールコーター、ロッドコーター、エアドクタコーターを用いた方法を用いることができる。この中でも、膜厚の調整が容易なグラビアコーターを用いた塗布方法が好ましい。
【００５４】
耐熱滑性層塗布液の基材に対する塗布量は、乾燥後の耐熱滑性層の厚さが、０．１μｍ以上５μｍ以下の範囲となるように塗布することが、転写性の観点から好ましい。
【００５５】
（Ｉ−２−１）染料層
第１の感熱転写記録用シートは、イエロー染料を含む層（イエロー染料層）、マゼンタ染料を含む層（マゼンタ染料層）及びシアン染料を含む層（シアン染料層）を含む染料層を有する。そして、これらの層のうちの１つ以上の層の形成に、第１化合物を含む染料組成物を用いる。
【００５６】
つまり、第１の感熱転写記録用シートは、３種の染料層のうちの１種の染料層に第１化合物を含んでいてもよく、また、２種あるいは３種全ての染料層に第１化合物を含んでいてもよい。また、１種の染料層に、一般式（１）で表される化合物及び一般式（２）で表される化合物のいずれか一方を含む構成でもよく、両方を含む構成でもよい。
【００５７】
即ち、第１の感熱転写記録用シートは、上記３種の染料層のうち、第１化合物が１種でも含まれる染料層を少なくとも１層有していれば良い。
【００５８】
各染料層は、各染料層に応じた染料と、第１化合物（イエロー染料層、マゼンタ染料層及びシアン染料層のうちの１種以上に適用）と、必要に応じて、媒体（水や有機溶剤等）、結着樹脂、界面活性剤及びワックス等の添加剤とを含む組成物を用いて形成できる。例えばイエロー染料層は、後述する一般式（３）〜（６）で表される化合物のうち１種以上を含むイエロー染料と、第１化合物の１種以上と、媒体と、結着樹脂と、界面活性剤と、ワックスとを含む組成物（イエロー染料組成物）を用いることができる。
【００５９】
このように、第１の感熱転写記録用シートの各染料層は、イエロー染料として一般式（３）〜（６）で表される化合物を、シアン染料として一般式（７）〜（９）で表される化合物を、マゼンタ染料として例えば一般式（１０）〜（１４）で表される化合物を含む。
【００６０】
なお、一般式（３）〜（１４）で表される化合物（染料）と併用することができる染料としては、感熱転写記録用シートの分野で、熱転写用として公知で用いられている染料であって熱で移行するものであれば特に限定されない。これらの染料は、色相、印画感度、耐光性、保存性、結着樹脂への溶解性や分散性等を考慮して、適宜用いることができる。
【００６１】
（Ｉ−２−２）染料層形成用の染料組成物に含む成分
以下に、これらの染料層の形成に用いる組成物に含む各成分について説明する。
【００６２】
（ｉ）少なくとも１種の染料層形成用の染料組成物に含有させる化合物
（ｉ‐１）第１化合物
まず、一般式（１）及び（２）で表される化合物について説明する。なお、第１化合物は、一般式（１）及び（２）で表される化合物群から選ばれる１種以上の化合物であることから、一種類に限定されるものではない。例えば、第１化合物として、一般式（１）で表される化合物の２種以上、一般式（２）で表される化合物の２種以上、一般式（１）で表される化合物の１種以上と一般式（２）で表される化合物の１種以上等、２種以上の第１化合物を組み合わせて用いてもよい。
【００６３】
【化１０】
2018065382.tif 000011
【００６４】
一般式（１）中、Ｒ１〜Ｒ８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示す。Ｒ１とＲ２、Ｒ３とＲ４、Ｒ５とＲ６、及びＲ７とＲ８は、それぞれが結合した窒素原子と一緒に環状構造を形成してもよい。Ｘ−は陰イオンを示す。
【００６５】
【化１１】
2018065382.tif 000012
【００６６】
一般式（２）中、Ｒ’１〜Ｒ’８は、各々独立して、置換もしくは無置換の炭素数１〜８のアルキル基、置換もしくは無置換のアルケニル基、置換もしくは無置換のアラルキル基、置換もしくは無置換のアルキニル基、または、置換もしくは無置換のアリール基を示す。Ｒ’１とＲ’２、Ｒ’３とＲ’４、Ｒ’５とＲ’６、及びＲ’７とＲ’８は、それぞれが結合した窒素原子と一緒に環状構造を形成してもよい。Ｘ’−は陰イオンを示す。
【００６７】
一般式（１）及び（２）中、Ｒ１〜Ｒ８及びＲ’１〜Ｒ’８が示すことのできる、置換もしくは無置換の炭素数１〜８のアルキル基は、置換基を含む炭素数の合計が１以上８以下のアルキル基であれば、特に限定されるものではない。置換基としては、例えば、アルコキシ基及びシアノ基（−ＣＮ）を挙げることができる。
【００６８】
置換もしくは無置換の炭素数１〜８のアルキル基としては、例えば、直鎖状、分岐状、もしくは、環状の合計炭素数１以上８以下のアルキル基、合計炭素数１以上８以下のアルコキシアルキル基、合計炭素数１以上８以下のシアノアルキル基が挙げられる。より具体的には、メチル基、エチル基、ｎ−プロピル基、ｉｓｏ−プロピル基、ｎ−ブチル基、ｓｅｃ−ブチル基、ｔｅｒｔ−ブチル基、ｉｓｏ−ブチル基、オクチル基、シクロブチル基、シクロペンチル基、シクロヘキシル基、メチルシクロヘキシル基、シクロヘキシルメチル基、２−エチルプロピル基、２−エチルヘキシル基、メトキシエチル基、メトキシプロピル基、シアノプロピル基、及び、シアノエチル基等が挙げられる。
【００６９】
一般式（１）及び（２）中、Ｒ１〜Ｒ８及びＲ’１〜Ｒ’８が示すことのできる置換もしくは無置換のアルケニル基は、特に限定されるものではない。なお、置換基としては、例えば、ヒドロキシ基及びカルボキシ基を挙げることができる。また、置換基を含むアルケニル基の合計炭素数は、例えば２以上８以下とすることができる。
【００７０】
置換もしくは無置換のアルケニル基としては、具体的には、ビニル基、プロペニル基、ブテニル基、ペンテニル基、ヘキセニル基、ヘプテニル基、オクタニル基、２−ヒドロキシビニル基、３−ヒドロキシプロペニル基、及び３−カルボキシプロペニル基等が挙げられる。
【００７１】
一般式（１）及び（２）中、Ｒ１〜Ｒ８及びＲ’１〜Ｒ’８が示すことのできる置換もしくは無置換のアラルキル基は、特に限定されるものではない。なお、置換基としては、例えば、アルキル基、並びにハロゲン原子（例えば、塩素原子またはフッ素原子）を挙げることができる。また、置換基を含むアラルキル基の合計炭素数は、例えば、７以上１２以下、好ましくは７以上８以下とすることができる。
【００７２】
置換もしくは無置換のアラルキル基としては、具体的には、ベンジル基、ｐ−クロロベンジル基、ｐ−メチルベンジル基、フェネチル基（例えば、２−フェニルエチル基）、３−フェニルプロピル基、α−ナフチルメチル基、及び、β−ナフチルエチル基等が挙げられる。
【００７３】
一般式（１）及び（２）中、Ｒ１〜Ｒ８及びＲ’１〜Ｒ’８が示すことのできる置換もしくは無置換のアルキニル基は、特に限定されるものではない。なお、置換基としては、例えば、ヒドロキシ基、カルボキシ基、及び、ハロゲン原子（例えば、塩素原子またはフッ素原子）を挙げることができる。また、置換基を含むアルキニル基の合計炭素数は、例えば、２以上８以下、好ましくは３以上６以下とすることができる。
【００７４】
置換もしくは無置換のアルキニル基としては、具体的には、プロピニル基、ブチニル基、ペンチニル基、ヘキシニル基、２−ヒドロキシブチニル基、２−カルボキシペンチニル基、及び、２−クロロブチニル基等が挙げられる。
【００７５】
一般式（１）及び（２）中、Ｒ１〜Ｒ８及びＲ’１〜Ｒ’８が示すことのできる置換もしくは無置換のアリール基は、特に限定されるものではない。なお、置換基としては、例えば、アルキル基、及びアルコキシ基を挙げることができる。また、置換基を含むアリール基の合計炭素数は、例えば、６以上１４以下、好ましくは６以上１２以下とすることができる。
【００７６】
置換もしくは無置換のアリール基としては、具体的には、フェニル基、トリル基（例えば２−メチルフェニル基）、３−プロピルフェニル基、キシリル基（例えば２，６−ジメチルフェニル基）、ナフチル基、α−メチルナフチル基、及びβ−エチルナフチル基等が挙げられる。
【００７７】
さらに、一般式（１）及び（２）中、Ｒ１とＲ２、Ｒ３とＲ４、Ｒ５とＲ６、及びＲ７とＲ８並びにＲ’１とＲ’２、Ｒ’３とＲ’４、Ｒ’５とＲ’６、及びＲ’７とＲ’８はそれぞれが結合した窒素原子と一緒に環状構造を形成しても良い。この環状構造としては、例えば、置換もしくは無置換の５員環、置換もしくは無置換の６員環、置換もしくは無置換の７員環を挙げることができる。
【００７８】
この環状構造としては、具体的には以下のものを挙げることができる。即ち、５員環としてピロリジン環等、６員環としてピペリジン環、モルホリン環、ピペラジン環等、７員環としてアゼパン環等を挙げることができる。さらに、これらの環状構造が有していてもよい置換基としては、例えば、メチル基、エチル基等のアルキル基を挙げることができる。
【００７９】
なお、一般式（１）中の、Ｒ１とＲ２、Ｒ３とＲ４、Ｒ５とＲ６、及びＲ７とＲ８並びにＲ’１とＲ’２、Ｒ’３とＲ’４、Ｒ’５とＲ’６、及びＲ’７とＲ’８は、それぞれ同一の置換基を示すことが好ましい。これらが同一の置換基を示すことにより、耐光性に優れ、かつ、インバランスが改善された画像を容易に得ることができる。
【００８０】
また、一般式（１）及び（２）中、Ｒ１〜Ｒ８及びＲ’１〜Ｒ’８は、耐光性に優れ、かつ、インバランスが改善された画像を容易に得ることができるため、各々独立して、置換もしくは無置換の炭素数１〜８のアルキル基を示すことが好ましい。特に、Ｒ１〜Ｒ８及びＲ’１〜Ｒ’８は、合計炭素数３〜８の無置換のアルキル基、または、合計炭素数３〜８のシアノアルキル基を示すことがより好ましい。
【００８１】
一般式（１）及び（２）中、Ｘ−及びＸ’−が示すことのできる陰イオンは、特に限定されるものではない。この陰イオンとしては、例えば、フッ化物イオン、塩化物イオン、臭化物イオン、ヨウ化物イオン、過塩素酸イオン（ＣｌＯ４−）、硝酸イオン、メタンスルホン酸イオン、ベンゼンスルホン酸イオン、ｐ−トルエンスルホン酸イオン、ｐ−トリフルオロメチルベンゼンスルホン酸イオン、２，３，４，５，６−ペンタフルオロベンゼンスルホン酸イオン、メチル硫酸イオン、エチル硫酸イオン、プロピル硫酸イオン、テトラフルオロホウ酸イオン（ＢＦ４−）、テトラフェニルホウ酸イオン、ヘキサフルオロリン酸イオン（ＰＦ６−）、ベンゼンスルフィン酸イオン、酢酸イオン、トリフルオロ酢酸イオン、プロピオン酸イオン、安息香酸イオン、しゅう酸イオン、コハク酸イオン、マロン酸イオン、オレイン酸イオン、ステアリン酸イオン、クエン酸イオン、ピコリン酸イオン、一水素二リン酸イオン、二水素二リン酸イオン、ペンタフルオロプロピオン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン（ＳｂＦ６−）、モリブデン酸イオン、タングステン酸イオン、チタン酸イオン、ジルコン酸イオン、ナフタレンジスルホン酸イオン、トリス（トリフルオロメタンスルホニル）メチドイオン（Ｃ（ＳＯ２ＣＦ３）３−）、ビス（トリフルオロメタンスルホニル）イミドイオン（Ｎ（ＳＯ２ＣＦ３）２−）、ビス（パーフルオロエタンスルホニル）イミドイオン（Ｎ（ＳＯ２ＣＦ２ＣＦ３）２−）、ペンタフルオロフェニルビス（トリフルオロメタンスルホニル）メチドイオン、テトラキス（ペンタフルオロフェニル）ホウ素イオン、及び下記式で示される１，１，２，２，３，３−ヘキサフルオロプロパン−１，３−ジスルホニルイミドイオンなどが挙げられる。
【００８２】
【化１２】
2018065382.tif 000013
【００８３】
（ｉ‐２）第１化合物の具体例
一般式（１）で表される化合物の具体例として、化合物（１）〜（４）、（７）、（８）、（１２）、（１４）〜（１６）、（１８）〜（２０）、（２２）、（２４）、（２５）、（２８）、（３０）及び（３２）〜（４０）を以下に示すが、これらの化合物に限定されるものではない。また、一般式（２）で表される化合物の具体例として、化合物（５）、（６）、（９）〜（１１）、（１３）、（１７）、（２１）、（２３）、（２６）、（２７）、（２９）及び（３１）を以下に示すが、これらの化合物に限定されるものではない。
【００８４】
【化１３】
2018065382.tif 000014
【００８５】
【化１４】
2018065382.tif 000015
【００８６】
【化１５】
2018065382.tif 000016
【００８７】
第１化合物としては、化合物（１）、（３）、（５）、（９）、（１１）、（２０）、（２２）、（２３）、（２５）、（２６）、（３０）、（３１）、（３２）を用いることが好ましい。これらの化合物を用いることにより、耐光性に優れ、かつインバランスが改善された画像を容易に得ることができる。さらに、インバランス改善の観点から、第１化合物として、化合物（１）、（３）、（２０）、（２５）、（３０）及び（３２）のうちの少なくとも１種を用いることがより好ましい。
【００８８】
（ｉ‐３）第１化合物の合成方法
第１化合物は、米国特許明細書３，２５１，８８１号、米国特許明細書３，４８４，４６７号及び特開昭６１−６９９９１号公報などに記載された公知の方法を参考にして合成することができる。
【００８９】
より具体的には、第１化合物は、例えば次の方法により製造することができる。即ち、ウルマン反応により主骨格を形成し、還元反応によりＲ１〜Ｒ８及びＲ’１〜Ｒ’８が結合する窒素原子をアミノ基へと還元することによりアミノ体を得る。続いて、アミノ基に対し選択的にアルキル化、アルケニル化、アラルキル化、アリール化、及びアルキニル化等を行ってＲ１〜Ｒ８及びＲ’１〜Ｒ’８を置換した後、銀塩酸化あるいは電解酸化反応等を行うことにより、第１化合物を得ることができる。また、第１化合物が非対称な場合（例えば、一般式（１）中のＲ１及びＲ２と、Ｒ５及びＲ６とが異なる場合等）には、前述のアルキル化等を多段階的に行って合成すれば良い。
【００９０】
（ｉ‐４）第１化合物の特徴
第１化合物は、以下の特徴を有する。即ち、極大吸収波長が９００ｎｍ以上１，４００ｎｍ以下の近赤外の範囲であり、かつ、モル吸光係数が数万〜数十万程度と大きいピークを持つ。さらに、可視域での吸収が小さいため、染料組成物（インク）中に添加した場合であっても、染料（着色剤）の色調の変化や退色を生じさせる恐れは殆どない。また、保護層中に添加した場合であっても、画像の色調を損なわない。
【００９１】
（ｉｉ）イエロー染料（一般式（３）〜（６）で表される化合物）
第１の感熱転写記録用シートは、イエロー染料層中に、イエロー染料として、一般式（３）〜（６）で表される化合物群のうちの少なくとも１種を含む。即ち、イエロー染料として、これらの化合物を１種単独で用いても良いし、２種以上を併用しても良い。
【００９２】
（ｉｉ‐１）一般式（３）で表される化合物
まず、一般式（３）で表される化合物（イエロー染料）について説明する。
【００９３】
【化１６】
2018065382.tif 000017
【００９４】
一般式（３）中、Ｒ９〜Ｒ１２は、各々独立して、アルキル基、または置換もしくは無置換のアリール基を示す。
【００９５】
一般式（３）中、Ｒ９〜Ｒ１２が示すことのできるアルキル基は、特に限定されるものではなく、例えば、直鎖状、分岐状、もしくは、環状の炭素数１以上２０以下のアルキル基が挙げられる。
【００９６】
このアルキル基としては、例えば、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基等が挙げられる。これらのアルキル基の中では、炭素数１以上４以下のアルキル基が、耐光性に優れ、かつインバランスが改善された画像が得られ易いため好ましい。
【００９７】
一般式（３）中、Ｒ９〜Ｒ１２が示すことのできる置換もしくは無置換のアリール基は、特に限定されるものではない。置換基としては、例えばアルキル基を挙げることができる。また、置換基を含むアリール基の合計炭素数は、例えば６以上１０以下とすることができる。
【００９８】
この置換もしくは無置換のアリール基としては、例えば、フェニル基、２−メチルフェニル基、３−メチルフェニル基、４−メチルフェニル基、及びナフチル基が挙げられる。これらのアリール基の中では、フェニル基が、耐光性に優れ、かつインバランスが改善された画像が得られ易いため好ましい。
【００９９】
一般式（３）で表される化合物の具体例として、以下に、化合物（４１）〜（４８）を示すが、これらの化合物に限定されるものではない。
【０１００】
【化１７】
2018065382.tif 000018
【０１０１】
イエロー染料として、一般式（３）で表される化合物の中でも、化合物（４３）〜（４６）のうちの少なくとも１種を用いることが好ましい。また、一般式（３）で表される化合物として、化合物（４３）を用いることが、耐光性に優れ、かつインバランスが改善された画像が得られ易いためより好ましい。
【０１０２】
（ｉｉ‐２）一般式（４）で表される化合物
次に、一般式（４）で表される化合物（イエロー染料）について説明する。
【０１０３】
【化１８】
2018065382.tif 000019
【０１０４】
一般式（４）中、Ｒ１３は、アルキル基、置換もしくは無置換のアリール基、または置換もしくは無置換のアミノ基を示す。Ｒ１４は、水素原子、アルキル基、置換もしくは無置換のアリール基、または−Ｎ（−Ｒａ）Ｒｂを示す。ただし、Ｒａ及びＲｂは、各々独立して、水素原子、アルキル基、または、アシル基を示す。また、ＲａとＲｂとが結合した窒素原子と一緒に環状構造を形成してもよい。Ｒ１５はアルキル基を示す。Ｒ１６は、水素原子、またはアルキル基を示す。Ｙは、カルボニル基、またはスルホニル基を示す。ｎは、１〜３の整数を示す。
【０１０５】
一般式（４）中、Ｒ１３が示すことのできるアルキル基は、特に限定されるものではなく、例えば、メチル基、エチル基、プロピル基、ブチル基等の、直鎖状もしくは分岐状の炭素数１以上４以下のアルキル基が挙げられる。
【０１０６】
一般式（４）中、Ｒ１３が示すことのできる置換もしくは無置換のアリール基は、特に限定されるものではない。置換基としては、例えばメチル基等のアルキル基を挙げることができる。また、置換基を含むアリール基の合計炭素数は、例えば６以上１２以下とすることができる。
【０１０７】
この置換もしくは無置換のアリール基としては、例えば、フェニル基、２−メチルフェニル基、３−メチルフェニル基、及び４−メチルフェニル基が挙げられる。
【０１０８】
一般式（４）中、Ｒ１３が示すことのできる置換もしくは無置換のアミノ基（−ＮＨ２、−ＮＨＲｃ、−ＮＲｃＲｄ（Ｒｃ及びＲｄは置換基を表す））は、特に限定されるものではない。置換基としては、例えば、メチル基、エチル基などのアルキル基を挙げることができる。
【０１０９】
この置換もしくは無置換のアミノ基としては、例えば、モノメチルアミノ基、ジメチルアミノ基、ジエチルアミノ基が挙げられる。
【０１１０】
これらの中でも、耐光性に優れ、かつインバランスが改善された画像が得られ易いことから、Ｒ１３はアルキル基であることが好ましく、Ｒ１３はメチル基であることがより好ましい。
【０１１１】
一般式（４）中、Ｒ１４が示すことのできるアルキル基は、特に限定されるものではなく、例えば、直鎖状、分岐状、もしくは環状の炭素数１以上２０以下のアルキル基が挙げられる。
【０１１２】
より具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基等が挙げられる。
【０１１３】
これらのアルキル基の中では、耐光性に優れ、かつインバランスが改善された画像が得られ易いことから、メチル基、エチル基、ｎ−プロピル基、ｉｓｏ−プロピル基、ｎ−ブチル基、及び、２−エチルヘキシル基が好ましく、特にエチル基、及びｎ−プロピル基がより好ましい。
【０１１４】
一般式（４）中、Ｒ１４が示すことのできる置換もしくは無置換のアリール基は、特に限定されるものではなく、例えば、一般式（４）のＲ１３と同様のアリール基を挙げることができる。
【０１１５】
一般式（４）中、Ｒ１４が−Ｎ（−Ｒａ）Ｒｂを示す場合、Ｒａ及びＲｂが示すことのできるアルキル基は、特に限定されるものではなく、一般式（４）のＲ１４と同様のアルキル基を挙げることができる。また、Ｒａ及びＲｂが示すことのできるアシル基は、特に限定されるものではなく、例えば、アセチル基、エチルヘキシノイル基等のアルキルカルボニル基、ベンゾイル基等のアリールカルボニル基が挙げられる。
【０１１６】
一般式（４）中、Ｒ１４が−Ｎ（−Ｒａ）Ｒｂを示す場合、このＲａ及びＲｂが結合し窒素原子と一緒に形成する環状構造としては、耐光性及びインバランスの観点から適宜選択できる。この環状構造としては、例えば、ピロリジン環、ピペリジン環、アゼパン環、及びアゾカン環が挙げられる。
【０１１７】
なお、これらの中でも、Ｒａ及びＲｂのうちの少なくとも一方がアルキル基である場合、耐光性に優れ、かつインバランスが改善された画像が得られ易いため好ましい。さらに、Ｒａ及びＲｂのうちの少なくとも一方がメチル基の場合がより好ましい。
【０１１８】
一般式（４）中、Ｒ１５及びＲ１６が示すことのできるアルキル基は、特に限定されるものではない。このアルキル基としては、例えば、一般式（４）のＲ１４と同様のアルキル基を挙げることができる。
【０１１９】
またこれらの中でも、耐光性に優れ、かつインバランスが改善された画像が得られ易いことから、Ｒ１５及びＲ１６は、各々独立して以下の基を示すことが好ましい。即ち、エチル基、ｎ−ブチル基、ｓｅｃ−ブチル基、ドデシル基、シクロヘキシル基、メチルシクロヘキシル基、２−エチルプロピル基、及び、２−エチルヘキシル基が好ましく、ｎ−ブチル基、及び、２−エチルヘキシル基がより好ましい。また、Ｒ１５及びＲ１６が同一のアルキル基を示す場合、耐光性に優れ、かつインバランスが改善された画像が得られ易いため好ましい。
【０１２０】
一般式（４）中、Ｙはカルボニル基またはスルホニル基を示すことができるが、カルボニル基を示す場合、耐光性に優れ、かつインバランスが改善された画像が得られ易いため好ましい。
【０１２１】
一般式（４）中、ｎは１〜３の整数（１以上３以下の整数）を示すが、ｎが１である場合、耐光性に優れ、かつインバランスが改善された画像が得られ易いため好ましい。
【０１２２】
なお、一般式（４）ではアゾ体が記載されているが、互変異性体であるヒドラゾ体も含むものとする。
【０１２３】
また、一般式（４）において、Ｒ１５（Ｒ１６−）Ｎ−Ｙ−基のフェニル基に対する接続部位は特に限定されず、適宜設定することができる。
【０１２４】
一般式（４）で表される化合物の具体例として、以下に化合物（４９）〜（５３）を示すが、これらの化合物に限定されるものではない。
【０１２５】
【化１９】
2018065382.tif 000020
【０１２６】
イエロー染料として、一般式（４）で表される化合物の中でも、化合物（５１）、（５２）及び（５３）のうちの少なくとも１種を用いることが、耐光性に優れ、かつインバランスが改善された画像が得られ易いため、好ましい。
【０１２７】
（ｉｉ‐３）一般式（５）で表される化合物
次に、一般式（５）で表される化合物（イエロー染料）について説明する。
【０１２８】
【化２０】
2018065382.tif 000021
【０１２９】
一般式（５）中、Ｒ１７及びＲ１８は、各々独立して、アルキル基、またはアリール基を示す。
【０１３０】
一般式（５）中、Ｒ１７及びＲ１８が示すことのできるアルキル基は、特に限定されるものではなく、例えば、一般式（４）のＲ１４と同様のアルキル基を挙げることができる。また、これらのアルキル基の中では、耐光性に優れ、かつインバランスが改善された画像が得られ易いことから、直鎖状または分岐状の炭素数１以上８以下のアルキル基（例えば、プロピル基、ブチル基及び２−エチルヘキシル基）が好ましい。さらに、耐光性及びインバランスの観点から、Ｒ１７及びＲ１８はいずれもブチル基であることがより好ましい。
【０１３１】
一般式（５）中、Ｒ１７及びＲ１８が示すことのできるアリール基は、特に限定されるものではなく、例えば、フェニル基、及びナフチル基が挙げられる。これらのアリール基の中では、フェニル基が耐光性に優れ、かつインバランスが改善された画像が得られ易いため好ましい。
【０１３２】
一般式（５）で表される化合物の具体例として、以下に、化合物（５４）〜（５９）を示すが、これらの化合物に限定されるものではない。
【０１３３】
【化２１】
2018065382.tif 000022
【０１３４】
イエロー染料として、一般式（５）で表される化合物の中でも、化合物（５６）〜（５８）のうちの少なくとも１種を用いることが好ましい。また、一般式（５）で表される化合物として、化合物（５７）を用いることが、耐光性に優れ、かつインバランスが改善された画像が得られ易いためより好ましい。
【０１３５】
（ｉｉ‐４）一般式（６）で表される化合物
次に、一般式（６）で表される化合物（イエロー染料）について説明する。
【０１３６】
【化２２】
2018065382.tif 000023
【０１３７】
一般式（６）中、Ｒ１９及びＲ２０は、各々独立して、アルキル基、またはアリール基を示す。
【０１３８】
一般式（６）中、Ｒ１９及びＲ２０が示すことのできるアルキル基は、特に限定されるものではなく、例えば、直鎖状、分岐状、もしくは環状の炭素数１以上２０以下のアルキル基が挙げられる。
【０１３９】
より具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基等が挙げられる。
【０１４０】
これらのアルキル基の中で、Ｒ１９については、直鎖状、分岐状または環状の炭素数１以上６以下のアルキル基が好ましく、メチル基、ブチル基、及びシクロヘキシル基がより好ましく、シクロヘキシル基がさらに好ましい。
【０１４１】
これらのアルキル基の中で、Ｒ２０については、耐光性及びインバランスの観点から、直鎖状の炭素数１以上８以下のアルキル基が好ましく、メチル基、エチル基及びオクチル基がより好ましく、エチル基がさらに好ましい。
【０１４２】
一般式（６）中、Ｒ１９及びＲ２０が示すことのできるアリール基は、特に限定されるものではなく、例えば、フェニル基、及びナフチル基が挙げられる。これらのアリール基の中ではフェニル基が、耐光性に優れ、かつインバランスが改善された画像が得られ易いため好ましい。
【０１４３】
一般式（６）で表される化合物の具体例として、以下に、化合物（６０）〜（６４）を示すが、これらの化合物に限定されるものではない。
【０１４４】
【化２３】
2018065382.tif 000024
【０１４５】
イエロー染料として、一般式（６）で表される化合物の中でも、化合物（６３）及び（６４）のいずれか一方または両方を用いることが好ましい。また、一般式（６）で表される化合物として、化合物（６３）を用いることが、耐光性に優れ、かつインバランスが改善された画像が得られ易いためより好ましい。
【０１４６】
（ｉｉ−５）その他の化合物
イエロー染料層を形成する際、その染料組成物中に、一般式（３）〜（６）で表される化合物の他に、調色の目的で既存のイエロー染料を加えても良い。既存のイエロー染料としては、例えば化合物（６５）及び（６６）を挙げることができるが、これらに限定されるものではない。
【０１４７】
【化２４】
2018065382.tif 000025
【０１４８】
（ｉｉｉ）シアン染料（一般式（７）〜（９）で表される化合物）
第１の感熱転写記録用シートは、シアン染料層中に、シアン染料として、一般式（７）〜（９）で表される化合物群のうちの少なくとも１種を含む。即ち、シアン染料として、これらの化合物を１種単独で用いても良いし、２種以上を併用しても良い。
【０１４９】
（ｉｉｉ‐１）一般式（７）で表される化合物
次に、一般式（７）で表される化合物（シアン染料）について説明する。
【０１５０】
【化２５】
2018065382.tif 000026
【０１５１】
一般式（７）中、Ｒ２１〜Ｒ２５は、各々独立して、アルキル基、またはアリール基を示す。
【０１５２】
一般式（７）中、Ｒ２１〜Ｒ２５が示すことのできるアルキル基及びアリール基は、特に限定されるものではなく、例えば、一般式（６）のＲ１９及びＲ２０と同様のアルキル基及びアリール基を挙げることができる。また、アルキル基は、耐光性に優れ、かつインバランスが改善された画像が得られ易いことから、直鎖状または分岐状の炭素数１以上４以下のアルキル基が好ましく、メチル基、エチル基、ｎ−ブチル基及びｔｅｒｔ−ブチル基がより好ましく、メチル基及びエチル基がさらに好ましい。また、アリール基は、耐光性に優れ、かつインバランスが改善された画像が得られ易いことから、フェニル基が好ましい。
【０１５３】
一般式（７）で表される化合物の具体例として、以下に化合物（６７）〜（７３）を示すが、これらの化合物に限定されるものではない。
【０１５４】
【化２６】
2018065382.tif 000027
【０１５５】
シアン染料として、一般式（７）で表される化合物の中でも、化合物（６７）〜（６９）のうちの少なくとも１種を用いることが好ましい。また、一般式（７）で表される化合物として、化合物（６８）を用いることが、耐光性に優れ、かつインバランスが改善された画像が得られ易いためより好ましい。
【０１５６】
（ｉｉｉ−２）一般式（８）で表される化合物
次に、一般式（８）で表される化合物（シアン染料）について説明する。
【０１５７】
【化２７】
2018065382.tif 000028
【０１５８】
一般式（８）中、Ｒ２６及びＲ２７は、各々独立して、アルキル基、または置換もしくは無置換のアリール基を示す。
【０１５９】
一般式（８）中、Ｒ２６及びＲ２７が示すことのできるアルキル基は、特に限定されるものではなく、例えば、一般式（６）のＲ１９及びＲ２０と同様のアルキル基を挙げることができる。耐光性に優れ、かつインバランスが改善された画像が得られ易いため、アルキル基は、直鎖状の炭素数１以上４以下のアルキル基が好ましく、メチル基及びブチル基がより好ましい。
【０１６０】
一般式（８）中、Ｒ２６及びＲ２７が示すことのできる置換もしくは無置換のアリール基は、特に限定されるものではない。置換基としては、例えばアルキル基を挙げることができる。また、置換基を含むアリール基の合計炭素数は、例えば６以上１０以下とすることができる。
この置換もしくは無置換のアリール基としては、例えば、フェニル基、トリル基（例えば３−メチルフェニル基）、ｐ−（ｎ−ブチル）フェニル基、及びナフチル基が挙げられる。これらのアリール基の中では、トリル基が、耐光性に優れ、かつインバランスが改善された画像が得られ易いため好ましい。
【０１６１】
一般式（８）で表される化合物の具体例として、以下に化合物（７４）〜（７９）を示すが、これらの化合物に限定されるものではない。
【０１６２】
【化２８】
2018065382.tif 000029
【０１６３】
シアン染料として、一般式（８）で表される化合物の中でも、化合物（７５）〜（７７）のうちの少なくとも１種を用いることが好ましい。また、一般式（８）で表される化合物として、化合物（７６）を用いることが、耐光性に優れ、かつインバランスが改善された画像が得られ易いためより好ましい。
【０１６４】
（ｉｉｉ‐３）一般式（９）で表される化合物
次に、一般式（９）で表される化合物（シアン染料）について説明する。
【０１６５】
【化２９】
2018065382.tif 000030
【０１６６】
一般式（９）中、Ｒ２８〜Ｒ３２は、各々独立して、アルキル基、またはアリール基を示す。
【０１６７】
一般式（９）中、Ｒ２８〜Ｒ３２が示すことのできるアルキル基は、特に限定されるものではなく、例えば、直鎖状、分岐状、もしくは環状の炭素数１以上２０以下のアルキル基が挙げられる。
【０１６８】
より具体的には、メチル基、エチル基、ｎ−プロピル基、ｉｓｏ−プロピル基、ｎ−ブチル基、ｓｅｃ−ブチル基、ｔｅｒｔ−ブチル基、ｉｓｏ−ペンチル基、オクチル基、ドデシル基、ノナデシル基、シクロブチル基、シクロペンチル基、シクロヘキシル基、メチルシクロヘキシル基、２−エチルプロピル基、１−エチルペンチル基、及び２−エチルヘキシル基等が挙げられる。耐光性に優れ、かつインバランスが改善された画像が得られ易いため、直鎖状または分岐状の炭素数１以上８以下のアルキル基が好ましく、メチル基、１−エチルペンチル基及び２−エチルヘキシル基がより好ましい。
【０１６９】
一般式（９）中、Ｒ２８〜Ｒ３２が示すことのできるアリール基は、特に限定されるものではなく、例えば、フェニル基、及び、ナフチル基が挙げられる。これらのアリール基の中では、フェニル基が、耐光性に優れ、かつインバランスが改善された画像が得られ易いため好ましい。
【０１７０】
一般式（９）で表される化合物の具体例として、以下に、化合物（８０）〜（８５）を示すが、これらの化合物に限定されるものではない。
【０１７１】
【化３０】
2018065382.tif 000031
【０１７２】
シアン染料として、一般式（９）で表される化合物の中でも、化合物（８０）、（８１）及び（８５）のうちの少なくとも１種を用いることが好ましい。また、一般式（９）で表される化合物として、化合物（８０）を用いることが、耐光性に優れ、かつインバランスが改善された画像が得られ易いためより好ましい。
【０１７３】
なお、シアン染料として、これらの一般式（７）〜（９）で表される化合物の他に、既存のシアン染料を併用することもできる。
【０１７４】
（ｉｖ）マゼンタ染料（一般式（１０）〜（１４）で表される化合物）
第１の感熱転写記録用シートは、マゼンタ染料層中にマゼンタ染料として、一般式（１０）〜（１４）で表される化合物群のうちの少なくとも１種を含むことが好ましい。即ち、マゼンタ染料として、これらの化合物を１種単独で用いても良いし、２種以上を併用しても良い。
【０１７５】
（ｉｖ−１）一般式（１０）で表される化合物
次に、一般式（１０）で表される化合物（マゼンタ染料）について説明する。
【０１７６】
【化３１】
2018065382.tif 000032
【０１７７】
一般式（１０）中、Ｒ３３は、エーテル官能性の酸素原子を含んでいてもよいアルキル基、または、置換もしくは無置換のアリール基を示す。
【０１７８】
一般式（１０）中、Ｒ３３が示すことのできるエーテル官能性の酸素原子を含んでいてもよいアルキル基は、特に限定されるものではなく、例えば、直鎖状、分岐状、もしくは、環状の炭素数１以上２０以下のエーテル官能性の酸素原子を含んでいてもよいアルキル基が挙げられる。
【０１７９】
エーテル官能性の酸素原子を含んでいてもよいアルキル基としては、より具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基、及びエトキシエトキシエチル基等が挙げられる。これらの中でも、直鎖状または分岐状の、エーテル官能性の酸素原子を含んでいてもよい炭素数１以上８以下のアルキル基が、耐光性に優れ、かつインバランスが改善された画像が得られ易いため好ましい。この炭素数１以上８以下のアルキル基としては、例えば、メチル基、２−エチルヘキシル基及びエトキシエトキシエチル基を挙げることができる。
【０１８０】
一般式（１０）中、Ｒ３３が示すことのできる、置換もしくは無置換のアリール基は特に限定されるものではない。置換基としては、例えば、アルキル基、及びアルコキシ基を挙げることができる。また、置換基を含むアリール基の合計炭素数は、例えば６以上１０以下とすることができる。
【０１８１】
この置換もしくは無置換のアリール基としては、例えば、フェニル基、２−メチルフェニル基、３−メチルフェニル基、４−メチルフェニル基、ナフチル基、及びｐ−メトキシフェニル基が挙げられる。これらの中でも、フェニル基、２−メチルフェニル基、３−メチルフェニル基、４−メチルフェニル基、メトキシフェニル基、及びナフチル基が、耐光性に優れ、かつインバランスが改善された画像が得られ易いため好ましく、フェニル基及び３−メチルフェニル基がより好ましい。
【０１８２】
一般式（１０）で表される化合物の具体例として、以下に化合物（８６）〜（９４）を示すが、これらの化合物に限定されるものではない。
【０１８３】
【化３２】
2018065382.tif 000033
【０１８４】
マゼンタ染料として、一般式（１０）で表される化合物の中でも、化合物（８６）〜（９０）のうちの少なくとも１種を用いることが好ましい。また、一般式（１０）で表される化合物として、化合物（８６）及び（８８）のうちのいずれか一方または両方を用いることが、耐光性に優れ、かつインバランスが改善された画像が得られ易いためより好ましい。
【０１８５】
（ｉｖ−２）一般式（１１）で表される化合物
次に、一般式（１１）で表される化合物（マゼンタ染料）について説明する。
【０１８６】
【化３３】
2018065382.tif 000034
【０１８７】
一般式（１１）中、Ｒ３４及びＲ３５は、各々独立して、アルキル基、または置換もしくは無置換のアリール基を示す。
【０１８８】
一般式（１１）中、Ｒ３４及びＲ３５が示すことのできるアルキル基は、特に限定されるものではなく、例えば、一般式（６）のＲ１９及びＲ２０と同様のアルキル基を挙げることができる。アルキル基は、耐光性に優れ、かつインバランスが改善された画像が得られ易いことから、直鎖状の炭素数１以上４以下のアルキル基が好ましく、メチル基及びブチル基がより好ましい。
【０１８９】
一般式（１１）中、Ｒ３４及びＲ３５が示すことのできる置換もしくは無置換のアリール基は、置換もしくは無置換のアリール基であれば特に限定されるものではない。置換基としては、例えばアルキル基を挙げることができる。また、置換基を含むアリール基の合計炭素数は、例えば６以上１０以下とすることができる。
【０１９０】
この置換もしくは無置換のアリール基としては、例えば、フェニル基、２−メチルフェニル基、３−メチルフェニル基、４−メチルフェニル基、キシリル基（例えば３，５−ジメチルフェニル基）、ナフチル基、及び、ｐ−（ｎ−ブチル）フェニル基が挙げられる。これらのアリール基の中では、フェニル基、４−メチルフェニル基及びキシリル基（例えば、３，５−ジメチルフェニル基）が、耐光性に優れ、かつインバランスが改善された画像が得られ易いため好ましい。
【０１９１】
一般式（１１）で表される化合物の具体例として、以下に化合物（９５）〜（１０３）を示すが、これらの化合物に限定されるものではない。
【０１９２】
【化３４】
2018065382.tif 000035
【０１９３】
マゼンタ染料として、一般式（１１）で表される化合物の中でも、化合物（９７）〜（１０２）のうちの少なくとも１種を用いることが好ましい。また、一般式（１１）で表される化合物として、化合物（９７）、（１０１）及び（１０２）のうちの少なくとも１種を用いることが、耐光性に優れ、かつインバランスが改善された画像が得られ易いためより好ましい。
【０１９４】
（ｉｖ−３）一般式（１２）で表される化合物
次に、一般式（１２）で表される化合物（マゼンタ染料）について説明する。
【０１９５】
【化３５】
2018065382.tif 000036
【０１９６】
一般式（１２）中、Ｒ３６〜Ｒ４０は、各々独立して、アルキル基、または置換もしくは無置換のアリール基を示す。
【０１９７】
一般式（１２）中、Ｒ３６〜Ｒ４０が示すことのできるアルキル基は、特に限定されるものではなく、例えば、一般式（６）のＲ１９及びＲ２０と同様のアルキル基を挙げることができる。また、これらのアルキル基の中では、耐光性に優れ、かつインバランスが改善された画像が得られ易いことから、直鎖状または分岐状の炭素数１以上４以下のアルキル基（例えば、メチル基、エチル基、ｎ−ブチル基及びｔｅｒｔ−ブチル基）が好ましい。
【０１９８】
一般式（１２）中、Ｒ３６〜Ｒ４０が示すことのできる置換もしくは無置換のアリール基は、特に限定されるものではない。置換基としては、例えば、アルキル基及びアルコキシ基を挙げることができる。また、置換基を含むアリール基の合計炭素数は、例えば６以上１０以下とすることができる。
【０１９９】
この置換もしくは無置換のアリール基としては、例えば、フェニル基、２−メチルフェニル基、３−メチルフェニル基、４−メチルフェニル基、ナフチル基、及び、ｐ−メトキシフェニル基が挙げられる。アリール基は、耐光性に優れ、かつインバランスが改善された画像が得られ易いことから、フェニル基、２−メチルフェニル基、３−メチルフェニル基、４−メチルフェニル基及びメトキシフェニル基が好ましく、２−メチルフェニル基、３−メチルフェニル基、４−メチルフェニル基がより好ましい。
【０２００】
一般式（１２）で表される化合物の具体例として、以下に、化合物（１０４）〜（１１２）を示すが、これらの化合物に限定されるものではない。
【０２０１】
【化３６】
2018065382.tif 000037
【０２０２】
マゼンタ染料として、一般式（１２）で表される化合物の中でも、化合物（１０６）〜（１１０）のうちの少なくとも１種を用いることが好ましい。また、一般式（１２）で表される化合物として、化合物（１０７）〜（１０９）のうちの少なくとも１種を用いることが、耐光性に優れ、かつインバランスが改善された画像が得られ易いためより好ましい。
【０２０３】
（ｉｖ−４）一般式（１３）で表される化合物
次に、一般式（１３）で表される化合物（マゼンタ染料）について説明する。
【０２０４】
【化３７】
2018065382.tif 000038
【０２０５】
一般式（１３）中、Ｒ４１〜Ｒ４４は、各々独立して、アルキル基、または置換もしくは無置換のアリール基を示す。
【０２０６】
一般式（１３）中、Ｒ４１〜Ｒ４４が示すことのできるアルキル基は、特に限定されるものではなく、例えば、一般式（６）のＲ１９及びＲ２０と同様のアルキル基を挙げることができる。また、これらのアルキル基の中では、耐光性に優れ、かつインバランスが改善された画像が得られ易いことから、直鎖状または分岐状の炭素数１以上４以下のアルキル基（例えば、メチル基、エチル基、ｎ−プロピル基及びｔｅｒｔ−ブチル基）が好ましい。
【０２０７】
一般式（１３）中、Ｒ４１〜Ｒ４４が示すことのできる置換もしくは無置換のアリール基は、特に限定されるものではない。置換基としては、例えば、アルキル基を挙げることができる。また、置換基を含むアリール基の合計炭素数は、例えば６以上１０以下とすることができる。
【０２０８】
この置換もしくは無置換のアリール基としては、例えば、フェニル基、トリル基（例えば４−メチルフェニル基）、及びナフチル基が挙げられる。これらのアリール基の中では、フェニル基及びトリル基が、耐光性に優れ、かつインバランスが改善された画像が得られ易いため好ましい。
【０２０９】
一般式（１３）で表される化合物の具体例として、以下に化合物（１１３）〜（１２１）を示すが、これらの化合物に限定されるものではない。
【０２１０】
【化３８】
2018065382.tif 000039
【０２１１】
マゼンタ染料としては、一般式（１３）で表される化合物の中でも、化合物（１１３）、（１１５）〜（１１７）のうちの少なくとも１種を用いることが好ましい。また、一般式（１３）で表される化合物として、化合物（１１５）を用いることが、耐光性に優れ、かつインバランスが改善された画像が得られ易いためより好ましい。
【０２１２】
（ｉｖ−５）一般式（１４）で表される化合物
次に、一般式（１４）で表される化合物（マゼンタ染料）について説明する。
【０２１３】
【化３９】
2018065382.tif 000040
【０２１４】
一般式（１４）中、Ｒ４５及びＲ４６は、各々独立してアルキル基を示す。Ｒ４７は、水素原子、アルキル基、または、置換もしくは無置換のアリール基を示す。Ｒ４８は、アルキル基、または、置換もしくは無置換のアリール基を示す。Ｒ４９は、水素原子、アルキル基、置換もしくは無置換のアリール基、または、−Ｎ（−Ｒ５０）Ｒ５１を示す。ただし、Ｒ５０及びＲ５１は、各々独立して、水素原子、アルキル基、アリール基、または、アシル基を示すか、あるいは、Ｒ５０とＲ５１とが結合した窒素原子と一緒に環状構造を形成してもよい。
【０２１５】
一般式（１４）中、Ｒ４５及びＲ４６が示すことのできるアルキル基は、特に限定されるものではなく、例えば、直鎖状、分岐状、もしくは、環状の炭素数１以上２０以下のアルキル基が挙げられる。
【０２１６】
より具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−ブチルブチル基、２−エチルプロピル基、２−エチルヘキシル基等が挙げられる。なお、これらのアルキル基の中では、２−ブチルブチル基、及び２−エチルヘキシル基等の分岐状のアルキル基が、耐光性に優れ、かつインバランスが改善された画像が得られ易いため好ましい。
【０２１７】
一般式（１４）中、Ｒ４７が示すことのできるアルキル基は、特に限定されるものではなく、例えば、一般式（６）のＲ１９及びＲ２０と同様のアルキル基を挙げることができる。また、これらのアルキル基の中では、ｔｅｒｔ−ブチル基が、耐光性に優れ、かつインバランスが改善された画像が得られ易いため好ましい。
【０２１８】
一般式（１４）中、Ｒ４７が示すことのできる置換もしくは無置換のアリール基は、特に限定されるものではない。置換基としては、例えば、メチル基及びエチル基等のアルキル基、並びにメトキシ基等のアルコキシ基が挙げられる。また、置換基を含むアリール基の合計炭素数は、例えば６以上１２以下とすることができる。
【０２１９】
この置換もしくは無置換のアリール基としては、例えば、フェニル基、２−メチルフェニル基、３−メチルフェニル基、４−メチルフェニル基、キシリル基（例えば２，６−ジメチルフェニル基）２，６−ジエチルフェニル基、３−メトキシフェニル基、２，６−ジメトキシフェニル基、２，４，６−トリメチルフェニル基、及び、２，４，６−トリエチルフェニル基が挙げられる。また、これらのアリール基の中では、フェニル基が、耐光性に優れ、かつインバランスが改善された画像が得られ易いため好ましい。
【０２２０】
Ｒ４７は、フェニル基またはｔｅｒｔ−ブチル基であることが好ましいが、耐光性及びインバランスの観点から、特にｔｅｒｔ−ブチル基である場合が好ましい。
【０２２１】
一般式（１４）中、Ｒ４８が示すことのできるアルキル基は、特に限定されるものではなく、例えば、直鎖状もしくは分岐状の炭素数１以上８以下（例えば主鎖の炭素数が１以上４以下）のアルキル基が挙げられる。
【０２２２】
より具体的には、メチル基、エチル基、ｎ−プロピル基、ｉｓｏ−プロピル基、ｎ−ブチル基、ｉｓｏ−ブチル基、２−メチルブチル基、及び、２，３，３−トリメチルブチル基等が挙げられる。これらのアルキル基の中では、メチル基が、耐光性に優れ、かつインバランスが改善された画像が得られ易いため好ましい。
【０２２３】
一般式（１４）中、Ｒ４８が示すことのできる置換もしくは無置換のアリール基は、特に限定されるものではない。置換基としては、例えば、メチル基等のアルキル基、及びメトキシ基等のアルコキシ基が挙げられる。また、置換基を含むアリール基の合計炭素数は、例えば６以上８以下とすることができる。
【０２２４】
この置換もしくは無置換のアリール基としては、例えば、フェニル基、２−メチルフェニル基、３−メチルフェニル基、４−メチルフェニル基、４−メトキシフェニル基、キシリル基（例えば３，５−ジメチルフェニル基）が挙げられる。また、これらのアリール基の中では、フェニル基が耐光性に優れ、かつインバランスが改善された画像が得られ易いため好ましい。
【０２２５】
一般式（１４）中、Ｒ４９が示すことのできるアルキル基は、特に限定されるものではなく、例えば、直鎖状もしくは分岐状の炭素数１以上８以下のアルキル基が挙げられる。
【０２２６】
より具体的には、メチル基、エチル基、ｎ−プロピル基、ｉｓｏ−プロピル基、ｎ−ブチル基、及びｉｓｏ−ブチル基等が挙げられる。これらのアルキル基の中では、メチル基が、耐光性に優れ、かつインバランスが改善された画像が得られ易いため好ましい。
【０２２７】
一般式（１４）中、Ｒ４９が示すことのできる置換もしくは無置換のアリール基は特に限定されるものではない。置換基としては、例えば、メチル基等のアルキル基、及びメトキシ基等のアルコキシ基等を挙げることができる。また、置換基を含むアリール基の合計炭素数は、例えば、６以上１２以下とすることができる。この置換もしくは無置換のアリール基としては、例えば、フェニル基、及びナフチル基が挙げられる。また、これらのアリール基の中では、フェニル基が耐光性に優れ、かつインバランスが改善された画像が得られ易いため好ましい。
【０２２８】
一般式（１４）中、Ｒ４９が−Ｎ（−Ｒ５０）Ｒ５１である場合、Ｒ５０及びＲ５１が示すことのできるアルキル基は、特に限定されるものではなく、例えば、一般式（６）のＲ１９及びＲ２０と同様のアルキル基を挙げることができる。また、これらのアルキル基の中では、メチル基が、耐光性に優れ、かつインバランスが改善された画像が得られ易いため好ましい。
【０２２９】
一般式（１４）中、Ｒ４９が−Ｎ（−Ｒ５０）Ｒ５１である場合、Ｒ５０及びＲ５１が示すことのできるアリール基は、特に限定されるものではなく、例えば、フェニル基及びナフチル基を挙げることができる。また、これらのアリール基の中では、フェニル基が耐光性に優れ、かつインバランスが改善された画像が得られ易いため好ましい。
【０２３０】
一般式（１４）中、Ｒ４８が−Ｎ（−Ｒ５０）Ｒ５１である場合、Ｒ５０及びＲ５１が示すことのできるアシル基は、特に限定されるものではなく、例えば、炭素数２以上３０以下の無置換のアルキルカルボニル基、炭素数７以上３０以下の置換もしくは無置換のアリールカルボニル基、−Ｃ（＝Ｏ）−Ａ（Ａはヘテロ環を表す）が挙げられる。より具体的には、アセチル基、プロピオニル基、ピバロイル基、ベンゾイル基、及びナフトイル基等が挙げられる。また、−Ｃ（＝Ｏ）−Ａとしては、２−ピリジルカルボニル基、及び２−フリルカルボニル基等が挙げられる。なお、アリールカルボニル基の置換基としては、例えば炭素数１以上４以下のアルキル基、炭素数１以上４以下のアルコキシ基等が挙げられる。
【０２３１】
一般式（１４）中、Ｒ４９が−Ｎ（−Ｒ５０）Ｒ５１である場合、Ｒ５０及びＲ５１が互いに結合した窒素原子と一緒に形成する環状構造としては、特に限定されるものではなく、例えば、ピペリジン環、ピペラジン環、及びモルホリン環が挙げられる。
【０２３２】
なお、これらの中でも、Ｒ５０及びＲ５１のうちの少なくとも一方がアルキル基である場合、耐光性が優れるため好ましい。さらに、Ｒ５０及びＲ５１のうちの少なくとも一方がメチル基の場合に、耐光性に優れ、かつインバランスが改善された画像が得られ易いためより好ましい。
【０２３３】
一般式（１４）で表される化合物の具体例として、以下に化合物（１２２）〜（１３２）を示すが、これらの化合物に限定されるものではない。
【０２３４】
【化４０】
2018065382.tif 000041
【０２３５】
一般式（１４）で表される化合物として、化合物（１２２）〜（１２４）及び（１２８）のうちの少なくとも１種を用いることが、耐光性に優れ、かつインバランスが改善された画像が得られ易いため好ましい。
【０２３６】
なお、マゼンタ染料として、これらの一般式（１０）〜（１４）で表される化合物の代わりに、既存のマゼンタ染料を用いてもよく、また一般式（１０）〜（１４）で表される化合物と既存のマゼンタ染料を併用することもできる。
【０２３７】
（ｖ）結着樹脂
第１の感熱転写記録用シートの染料層に用いることができる結着樹脂としては、特に限定されず、様々な樹脂を用いることができる。その中でも、以下の水溶性樹脂及び有機溶剤可溶性の樹脂を用いることが好ましい。例えば、水溶性樹脂としては、セルロース樹脂、ポリアクリル酸樹脂、澱粉樹脂、及びエポキシ樹脂等を用いることができる。また、有機溶剤可溶性の樹脂としては、ポリアクリレート樹脂、ポリメタクリレート樹脂、ポリスチレン樹脂、ポリカーボネート樹脂、ポリエーテルスルホン樹脂、ポリビニルブチラール樹脂、エチルセルロース樹脂、アセチルセルロース樹脂、ポリエステル樹脂、ＡＳ樹脂、及びフェノキシ樹脂等を用いることができる。なおこれらの結着樹脂は、単独で用いても良いし、必要に応じて２種類以上組み合わせて用いてもよい。
【０２３８】
（ｖｉ）界面活性剤
第１の感熱転写記録用シートの染料層に、サーマルヘッド加熱時（印画時）に十分な滑性を持たせるために、界面活性剤を添加してもよい。染料層中に添加することができる界面活性剤としては、例えば、カチオン界面活性剤、アニオン界面活性剤、及びノニオン界面活性剤が挙げられる。
【０２３９】
カチオン界面活性剤としては、例えば、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイドが挙げられる。
【０２４０】
アニオン界面活性剤としては、例えば、ステアリン酸ナトリウム、ドデカン酸ナトリウム等の脂肪酸石鹸、ドデシル硫酸ナトリウム、ドデシルベンゼン硫酸ナトリウム、ラウリル硫酸ナトリウムが挙げられる。
【０２４１】
ノニオン界面活性剤としては、例えば、ドデシルポリオキシエチレンエーテル、ヘキサデシルポリオキシエチレンエーテル、ノニルフェニルポリオキシエチレンエーテル、ラウリルポリオキシエチレンエーテル、ソルビタンモノオレアートポリオキシエチレンエーテル、モノデカノイルショ糖が挙げられる。
【０２４２】
（ｖｉｉ）ワックス
第１の感熱転写記録用シートの染料層に、サーマルヘッド非加熱時に十分な滑性を持たせるために、ワックスを添加してもよい。染料層中に添加することができるワックスとしては、例えば、ポリエチレンワックス、パラフィンワックス、脂肪酸エステルワックスが挙げられるが、これらに限定されるものではない。
【０２４３】
（ｖｉｉｉ）その他の添加剤
第１の感熱転写記録用シートの染料層には、上記した添加物以外にも必要に応じて、紫外線吸収剤、防腐剤、酸化防止剤、帯電防止剤、及び粘度調整剤等を添加しても良い。
【０２４４】
（ｉｘ）媒体
第１の感熱転写記録用シートの各染料組成物の調製に用いることができる媒体は、特に限定されるものではないが、例えば水及び有機溶剤が挙げられる。有機溶剤としては、例えば、メタノール、エタノール、イソプロパノール及びイソブタノール等のアルコール類；メチルセロソルブ及びエチルセロソルブ等のセロソルブ類；トルエン、キシレン及びクロロベンゼン等の芳香族炭化水素類；酢酸エチル及び酢酸ブチル等のエステル類；アセトン、メチルエチルケトン、メチルイソブチルケトン及びシクロヘキサノン等のケトン類；塩化メチレン、クロロホルム及びトリクロロエチレン等のハロゲン化炭化水素類；テトラヒドロフラン及びジオキサン等のエーテル類；Ｎ，Ｎ−ジメチルホルムアミド、Ｎ−メチルピロリドン等を好ましく用いることができる。これらの有機溶剤は、単独で用いてもよいし、必要に応じて２種類以上組み合わせて用いてもよい。また、水と有機溶剤を併用することもできる。
【０２４５】
（Ｉ−２−３）染料層形成用の染料組成物の組成
・染料の含有量
各染料組成物中の各染料（イエロー染料、マゼンタ染料またはシアン染料）の含有量は、シートの保存性の観点から、結着樹脂１００質量部に対して、合計で１質量部以上２００質量部以下であることが好ましい。染料の分散の観点からは、結着樹脂１００質量部に対して、５０質量部以上１８０質量部以下であることがより好ましい。
【０２４６】
なお、染料組成物中の染料の含有量は、染料を２種以上混合して用いる場合は、各染料の質量部の合計量を意味する。例えばイエロー染料として、一般式（３）〜（６）で表される化合物と、既存の染料とを併用した場合も、染料の含有量とは、これらの染料の合計の質量部数を意味する。
【０２４７】
・第１化合物の含有量
第１化合物を染料組成物（例えばイエロー染料組成物）中に含有させる場合は、耐光性に優れ、かつインバランスが改善された画像が得られ易いことから、以下の含有量とすることが好ましい。即ち、染料組成物中の第１化合物の合計含有量は、染料１００質量部（用いた染料の合計質量部）に対して、０．５質量部以上５０質量部以下であることが好ましく、１．０質量部以上３０質量部以下であることがより好ましい。
【０２４８】
・その他の成分の含有量
染料組成物中のその他の成分の含有量は、適宜設定することができ、特に限定されない。
【０２４９】
（Ｉ−３）その他の層
（ｉ）ブラック染料層
第１の感熱転写記録用シートは、少なくとも、イエロー染料層、マゼンタ染料層及びシアン染料層を含む染料層を有するが、さらに染料層として、従来公知のブラック染料層を有していても良い。なおブラック染料層は、ブラック染料、もしくは既存のイエロー染料、マゼンタ染料、及びシアン染料を含む組成物を用いて形成することができ、このブラック染料層中に第１化合物を含むこともできる。
【０２５０】
（ｉｉ）転写性保護層
第１の感熱転写記録用シートは、基材上に、画像形成後に画像面を保護するための転写性保護層を上述の染料層と面順次に有していてもよい。また、この転写性保護層を染料層とは異なるシート（基材）上に形成することもできる。
【０２５１】
（Ｉ−４）第１の感熱転写記録用シートの作製方法
第１の感熱転写記録用シートは、特に限定されるわけではないが、基材上に面順次に各染料層を形成することができる。例えば、基材（基材シート）上に、基材の移動方向に沿ってイエロー染料層、マゼンタ染料層及びシアン染料層を繰り返し作製することができる。この順に染料層を有する感熱転写用シートを用いた場合には、まずイエロー画像が形成され、次いでマゼンタ画像、さらにシアン画像という順序で一連の画像形成が行われ、１つのフルカラーの画像が形成される。そして、この一連の画像形成が繰り返されることになる。なお、これらの染料層以外の染料層も適宜追加することができ、例えば、基材上にブラック染料層（熱溶融性ブラック層）を追加することもできる。
【０２５２】
染料層は、染料層用組成物（染料組成物）を基材へ塗布、乾燥して形成することができる。各染料組成物を基材上へ塗布する方法としては、特に限定されず、例えば、バーコーター、グラビアコーター、リバースロールコーター、ロッドコーター、エアドクタコーター等を用いた方法が挙げられる。この中でも、膜厚の調整が容易なグラビアコーターを用いた塗布方法が好ましい。
【０２５３】
また、各染料組成物を塗布した後の乾燥条件は、十分に乾燥することができれば特に限定されず、例えば、５０℃以上１２０℃以下の温度で、１秒以上５分以下乾燥を行うことができる。各染料組成物を十分に乾燥することにより、地汚れの発生や、巻き取りの際の染料組成物の裏移りを予防し易く、さらに、巻き返しの際の裏移りした染料組成物による異なる色相の染料層への再転移も予防し易い。
【０２５４】
染料組成物の塗布量としては、染料層の乾燥後の厚さが０．１μｍ以上５μｍ以下の範囲となるように塗布することが、転写性の観点から好ましい。
【０２５５】
第１の感熱転写記録用シートを作製する方法は特に限定されるものではないが、例えば以下のようにして作製することができる。
【０２５６】
まず、媒体（例えば有機溶剤）中に、第１化合物、一般式（３）〜（１４）で表される目的の染料層に対応する色の染料（色材）、必要に応じて、結着樹脂、界面活性剤、及びワックスを撹拌しながら徐々に加え、十分に媒体になじませる。この際、分散機により機械的剪断力を加えることで、これらの成分を安定して媒体中に溶解または微粒子状に分散させ、染料組成物を調製する。この染料組成物を基材であるベースフィルムに塗布及び乾燥することにより、目的の染料層を作製することができる。イエロー、マゼンタ及びシアンの各染料層を基材上に面順次で形成する場合は、上記方法によりそれぞれ作製した３種の染料組成物を用いることができる。
【０２５７】
なお、染料組成物の調製の際に用いる分散機としては特に限定されるものではないが、例えば、回転せん断型ホモジナイザー、ボールミル、サンドミル、アトライター等のメディア式分散機、並びに高圧対向衝突式の分散機等を用いることができる。
【０２５８】
さらに必要に応じて、上述したブラック染料層、転写性保護層等の他の層を形成することにより、第１の感熱転写記録用シートを作製することができる。
【０２５９】
なお、第１の感熱転写記録用シートは、この製造方法で作製された感熱転写記録用シートに限定されるものではない。
【０２６０】
（Ｉ−５）第１の感熱転写記録用シートの使用方法
第１の感熱転写記録用シートは、被転写体、例えば色材受容層を表面に有する受像シートと重ね合わせ、この感熱転写記録用シートをサーマルヘッドなどの加熱方法を用いて加熱することにより、シート中の色材を受像シートに転写させて、画像形成を行うものである。なお、第１の感熱転写記録用シートが上述した転写性保護層を有する場合は、この受像シートに形成された画像上にこの保護層部分のシートを重ね合わせ、サーマルヘッドなどの加熱方法を用いて加熱することにより、画像上に保護層を転写（形成）することができる。
【０２６１】
第１の感熱転写記録用シートを印画のために加熱する加熱手段としては、特に限定されるものではないが、サーマルヘッドを用いた常法のみならず、赤外線またはレーザー光も利用することができる。また、基材のベースフィルムそのものに電気を流すことによって発熱する通電発熱フィルムを用いて、通電型染料転写シートとして用いることもできる。
【０２６２】
（ＩＩ）第２の感熱転写記録用シート
第２の感熱転写記録用シートは、基材、並びに基材上に、特定のイエロー染料を含有するイエロー染料層と、マゼンタ染料を含有するマゼンタ染料層と、特定のシアン染料を含有するシアン染料層とを含む染料層、及び染料層を被転写体上に転写して形成される画像面を保護するための保護層を少なくとも有する。そして、この保護層に第１化合物を用いる。
【０２６３】
なお、第２の感熱転写記録用シートは、上記以外の染料層（例えばブラック染料層）を有することもできる。
【０２６４】
以下に、第２の感熱転写記録用シートの構成について詳細に説明する。
【０２６５】
（ＩＩ−１）基材
第２の感熱転写記録用シートが有する基材は、染料層及び保護層を支持するものである。基材としては特に限定されず、第１の感熱転写記録用シートと同様の基材を用いることができ、基材の厚みや接着層、耐熱滑性層についても、第１の感熱転写記録用シートと同様にすることができる。
【０２６６】
（ＩＩ−２−１）染料層
第２の感熱転写記録用シートは、少なくともイエロー染料層、マゼンタ染料層及びシアン染料層を有する。各染料層は、各染料層に応じた染料と、必要に応じて、媒体（水や有機溶剤等）、結着樹脂、界面活性剤及びワックス等の添加剤とを含む組成物を用いて形成することができる。例えばイエロー染料層は、一般式（３）〜（６）のイエロー染料と、媒体と、結着樹脂と、界面活性剤と、ワックスとを含む組成物（イエロー染料組成物）を用いることができる。
【０２６７】
なお、第２の感熱転写記録用シートでは、イエロー染料として一般式（３）〜（６）で表される化合物を、シアン染料として一般式（７）〜（９）で表される化合物を、マゼンタ染料として例えば一般式（１０）〜（１４）で表される化合物を用いる。なお、感熱転写記録用シートの分野で、熱転写用として公知で用いられている染料であって、熱で移行するものであれば、特に限定されず、色相、印画感度、耐光性、保存性、結着樹脂への溶解性や分散性等を考慮して、これらの一般式（３）〜（１４）で表される化合物（染料）と併用することができる。さらに、これらの染料層中に第１化合物を含むこともできる。
【０２６８】
（ＩＩ−２−２）染料層形成用の染料組成物に含む成分
以下に、染料層の形成に用いる組成物に含まれる各成分について説明する。
【０２６９】
（ｉ）イエロー染料、シアン染料及びマゼンタ染料
第２の感熱転写記録用シートに用いるこれらの染料は、第１の感熱転写記録用シートと同様に、イエロー染料（一般式（３）〜（６）で表される化合物）、シアン染料（一般式（７）〜（９）で表される化合物）及びマゼンタ染料（一般式（１０）〜（１４）で表される化合物）、並びに、既存の染料を用いることができる。
【０２７０】
（ｉｉ）媒体、結着樹脂、界面活性剤及びワックス等の添加剤
各種添加剤についても、第１の感熱転写記録用シートと同様の添加剤を用いることができる。
【０２７１】
（ＩＩ−２−３）染料層形成用の染料組成物の組成
・染料の含有量
各染料組成物中の各染料（イエロー染料、マゼンタ染料またはシアン染料）の含有量は、シートの保存性の観点から、結着樹脂１００質量部に対して、合計で１質量部以上２００質量部以下であることが好ましい。染料（着色剤）の分散の観点からは、結着樹脂１００質量部に対して、５０質量部以上１８０質量部以下であることがより好ましい。
【０２７２】
なお、上記染料の含有量は、染料を２種以上混合して用いる場合は、各染料色素の質量部の合計量を意味する。例えば、イエロー染料として、一般式（３）〜（６）で表される化合物と、既存の染料とを併用した場合も、染料の含有量とは、これらの染料の合計の質量部数を意味する。
【０２７３】
・その他の成分の含有量
染料組成物中のその他の成分の含有量は、適宜設定することができ、特に限定されない。
【０２７４】
（ＩＩ−３）保護層
第２の感熱転写記録用シート中の保護層は第１化合物を含む。なお、第１化合物としては、第１の感熱転写記録用シートと同様の化合物を用いることができる。
【０２７５】
また、この保護層形成用の組成物は、第１化合物の他に、結着樹脂を含むことができる。
【０２７６】
保護層に使用する結着樹脂としては、特に限定されるものではないが、例えば、ポリスチレン、ポリメタクリル酸メチル、ポリアクリル酸エチル等のアクリル系樹脂、ポリα−メチルスチレン等のスチレン系樹脂、ポリ塩化ビニル、ポリ酢酸ビニル、塩化ビニル−酢酸ビニル共重合体、ポリビニルブチラール、ポリビニルアセタール等のビニル系樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂等を挙げることができ、これらを好適に用いることができる。
【０２７７】
また、保護層形成用の組成物は、この他にも、媒体（水や有機溶剤等）、界面活性剤、ワックス、紫外線吸収剤、防腐剤、酸化防止剤、帯電防止剤、及び粘度調整剤等の添加剤を含むことができる。これらの各種添加剤としては、第１の感熱転写記録用シートと同様の添加剤を用いることができる。
【０２７８】
保護層形成用の組成物中の第１化合物の合計の含有量は、シートの保存性の観点から、結着樹脂１００質量部に対して０．１質量部以上５０質量部以下であることが好ましい。さらに、印画物の色と耐光性向上の観点から、第１化合物の合計含有量は、結着樹脂１００質量部に対して０．５質量部以上２０質量部以下であることがより好ましい。
【０２７９】
また、保護層形成用の組成物中のその他の成分の含有量は、適宜設定することができ、特に限定されない。
【０２８０】
保護層の厚みは、転写性の観点から０．１μｍ以上５μｍ以下が好ましい。
【０２８１】
（ＩＩ−４）その他の層
第２の感熱転写記録用シートは、第１の感熱転写記録用シートと同様に、上述したブラック染料層等の他の層を有することができる。
【０２８２】
また、保護層と基材との間に、感熱転写記録用シートからの保護層の剥離を容易にするため、剥離層（離型層）を形成することが好ましい。
【０２８３】
この剥離層は、例えば、ポリメタクリル酸メチル及びポリアクリル酸エチル等のアクリル系樹脂等を含むことができる。また、剥離層の厚みは、例えば０．１μｍ以上１．５μｍ以下とすることができる。
【０２８４】
（ＩＩ−５）第２の感熱転写記録用シートの作製方法
第２の感熱転写記録用シートは、特に限定されるわけではないが、基材上に面順次に、各染料層、並びに保護層を形成することができる。例えば、基材（基材シート）上に、基材の移動方向に沿って、イエロー染料層、マゼンタ染料層、シアン染料層、及びブラック染料層を繰り返し作製し、さらに保護層を作製することができる。この順に、染料層及び保護層を有する感熱転写用シートを用いた場合には、まずイエロー画像が形成され、次いでマゼンタ画像、さらにシアン画像、ブラック画像という順序で一連の画像形成が行われ、１つのフルカラーの画像が形成される。そして、この一連の画像形成が繰り返され、最終的に、形成された画像上に保護層が転写されることになる。
【０２８５】
なお、これらの染料層以外の染料層も、基材上に適宜追加することができる。
【０２８６】
第２の感熱転写記録用シートを作製する方法は、特に限定されるものではないが、例えば、以下のようにして得ることができる。
【０２８７】
保護層については一般式（１）〜（２）で表される化合物を、各染料層については一般式（３）〜（１４）で表される目的の染料層に対応する色の染料（色材）を、結着樹脂、界面活性剤及びワックス等と一緒に、媒体中に撹拌しながら徐々に加え、十分に媒体になじませる。この際、分散機により機械的剪断力を加えることで、これらの成分を安定して、媒体中に溶解または微粒子状に分散させ、各組成物（染料層形成用染料組成物または保護層形成用組成物）を調製する。この各組成物を基材であるベースフィルムに塗布及び乾燥することにより、目的の染料層及び保護層を作製することができる。なお、保護層と基材との間に剥離層を形成する場合は、剥離層を形成するための樹脂等を用いて、基材上に予め剥離層を形成しておく。
【０２８８】
なお、（保護層形成用組成物も含む）各組成物の作製に用いる分散機、（保護層形成用組成物も含む）各組成物の基材上の塗布方法や塗布量、並びに乾燥条件は、第１の感熱転写記録用シートと同様とすることができる。
【０２８９】
さらに必要に応じて、上述した耐熱滑性層等の他の層を形成することにより、第２の感熱転写記録用シートを作製することができる。
【０２９０】
なお、第２の感熱転写記録用シートは、この製造方法で作製された感熱転写記録用シートに限定されるものではない。
【０２９１】
（ＩＩ−６）第２の感熱転写記録用シートの使用方法
第２の感熱転写記録用シートは、色材受容層を表面に有する受像シートと重ね合わせ、この感熱転写記録用シートをサーマルヘッドなどの加熱方法を用いて加熱することにより、シート中の色材を受像シートに転写させて画像形成を行い、この受像シートに形成された画像上に保護層を転写するものである。第２の感熱転写記録用シートを加熱する加熱手段としては、特に限定されるものではなく、第１の感熱転写記録用シートと同様の手段を用いることができる。なお保護層は、画像を形成した領域にのみ転写してもよいし、受像シートの全面に転写してもよい。
【実施例】
【０２９２】
以下、実施例及び比較例を挙げて、本発明をさらに詳細に説明するが、本発明はこれらの実施例に限定されるものではない。なお、文中「部」とあるのは特に断りのない限り質量基準である。
【０２９３】
［第１化合物の製造］
一般式（１）及び（２）で表わされる化合物は、上述した公知の方法によって合成することが可能である。
【０２９４】
［比較化合物］
比較化合物としては、比較化合物（１）を使用した。なお、この比較化合物（１）は、第１化合物の製造方法と同様の公知の方法によって合成することが可能である。
【０２９５】
【化４１】
2018065382.tif 000042
【０２９６】
（Ｉ）第１の感熱転写記録用シート
［各染料組成物の作製］
＜イエロー染料組成物の作製例１＞
メチルエチルケトン４５部及びトルエン４５部の混合溶液に、ポリビニルブチラール樹脂（商品名：ＫＳ−３、積水化学（株）製）５部を少しずつ添加して溶解させた。この溶液に、以下の化合物を添加して完全に溶解させることで、感熱転写記録用シート作製用のイエロー染料組成物（Ｙ１）を得た。
・第１化合物：
化合物（１）        ０．０５部、
・イエロー染料：
一般式（３）で表される化合物：  化合物（４３）        １．２５部
一般式（４）で表される化合物：  化合物（５１）        ２．５０部
既存のイエロー染料：            化合物（６６）        １．２５部
【０２９７】
＜イエロー染料組成物の作製例２〜１５＞
イエロー染料組成物の作製例１において、第１化合物及びイエロー染料を、表１に示す種類の化合物と配合比に変更した以外は、作製例１と同じ方法で、感熱転写記録用シート作製用のイエロー染料組成物（Ｙ２）〜（Ｙ１５）をそれぞれ作製した。
【０２９８】
なお、表１中のイエロー染料の配合比は、一般式（３）で表される化合物：一般式（４）で表される化合物：一般式（５）で表される化合物：一般式（６）で表される化合物：化合物（６５）または（６６）の配合比を意味する。また、イエロー染料組成物（Ｙ１〜Ｙ１５）中のイエロー染料の合計含有量は、それぞれ５質量部とした。
【０２９９】
【表１】
2018065382.tif 000043
【０３００】
＜シアン染料組成物の作製例１〜１３＞
イエロー染料組成物の作製例１において、第１化合物及びイエロー染料を、表２に示す種類の化合物と配合比に変更した以外は、この作製例１と同じ方法で、シアン染料組成物（Ｃ１）〜（Ｃ１３）をそれぞれ作製した。なお、表２中のシアン染料の配合比は、一般式（７）で表される化合物：一般式（８）で表される化合物：一般式（９）で表される化合物の配合比を意味する。また、シアン染料組成物（Ｃ１〜Ｃ１３）中のシアン染料の合計含有量は、それぞれ５質量部とした。
【０３０１】
【表２】
2018065382.tif 000044
【０３０２】
＜マゼンタ染料組成物の作製例１〜１４＞
イエロー染料組成物の作製例１において、第１化合物及びイエロー染料を、表３に示す種類の化合物と配合比に変更した以外は、この作製例１と同じ方法で、マゼンタ染料組成物（Ｍ１）〜（Ｍ１４）をそれぞれ作製した。なお、表３中のマゼンタ染料の配合比は、一般式（１０）で表される化合物：一般式（１１）で表される化合物：一般式（１２）で表される化合物：一般式（１３）で表される化合物：一般式（１４）で表される化合物の配合比を意味する。また、マゼンタ染料組成物（Ｍ１〜Ｍ１４）中のマゼンタ染料の合計含有量は、それぞれ５質量部とした。
【０３０３】
【表３】
2018065382.tif 000045
【０３０４】
［画像サンプルの作製］
〔実施例１〕
基材として、厚さ４．５μｍのポリエチレンテレフタレートフィルム（商品名：ルミラー、東レ（株）製）を用い、この基材上に、乾燥後の厚みが１μｍになるようにイエロー染料組成物（Ｙ１４）を塗布し、乾燥することによって、イエロー染料層を形成した。
【０３０５】
次いで、イエロー染料組成物（Ｙ１４）の代わりに、マゼンタ染料組成物（Ｍ１３）を用いた以外はイエロー染料層と同じ方法で、イエロー染料層の隣の領域に、マゼンタ染料層を形成した。
【０３０６】
同様にして、このマゼンタ染料層の隣の領域に、シアン染料組成物（Ｃ１）を用いて、シアン染料層を形成した。こうして、イエロー染料層、マゼンタ染料層及びシアン染料層を有する第１の感熱転写記録用シートを作製した。
【０３０７】
作製したイエロー染料層、マゼンタ染料層及びシアン染料層を有する感熱転写記録用シートを用いて、Ｃａｎｏｎ製Ｓｅｌｐｈｙ（商品名）の改造機で、印画紙に画像を転写して画像サンプル（１）を作製した。その際、イエロー、マゼンタ及びシアンそれぞれについて、印画物の光学濃度（Ｏ．Ｄ．）が１．０になるように出力を調整し、さらに、その出力で、イエロー、マゼンタ及びシアンの順番にインクを重ねてブラック画像を印画し、画像サンプルとした。得られた画像サンプルを用いて、後述する評価を行った。なお、画像サンプルの測色は、反射濃度計ＳｐｅｃｔｒｏＬｉｎｏ（商品名、Ｇｒｅｔａｇ  Ｍａｃｂｅｔｈ社製）を用いて行った。
【０３０８】
〔実施例２〜３３、比較例１〜５〕
実施例１において、使用する各色の染料組成物を表４に示すように変更した以外は、実施例１と同様にして、イエロー染料層、マゼンタ染料層及びシアン染料層を有する感熱転写記録用シートをそれぞれ作製した。そして、実施例１と同様にして、画像サンプル２〜３３、並びに、画像サンプル３４〜３８（比較画像サンプル１〜５）を出力し、後述する評価を行った。
【０３０９】
【表４】
2018065382.tif 000046
【０３１０】
［評価］
＜インバランス評価＞
実施例１〜３３、比較例１〜５で得られた画像サンプルをキセノン試験装置（商品名：ＡｔｌａｓＣｉ４０００、スガ試験機（株）製）に投入し、照度：３４０ｎｍで０．２８Ｗ／ｍ２、温度：４０℃、相対湿度：５０％の条件下、３０時間曝露した。
【０３１１】
初期の光学濃度（Ｏ．Ｄ．）をＯＤ０とし、３０時間曝露後のＯ．Ｄ．をＯＤ３０とした時、Ｏ．Ｄ．残存率を以下の数式１のように定義した。
（数式１）  Ｏ．Ｄ．残存率＝ＯＤ３０／ＯＤ０
【０３１２】
この式に従い、ブラック画像中のシアン、マゼンタ及びイエロー各成分のＯＤ残存率を算出した。インバランスの評価として各Ｏ．Ｄ．残存率の差分の絶対値を以下のように算出した。
ＢｋＣ−Ｙ＝１００×絶対値（イエロー成分Ｏ．Ｄ．残存率―シアン成分Ｏ．Ｄ．残存率）
ＢｋＭ−Ｙ＝１００×絶対値（イエロー成分Ｏ．Ｄ．残存率―マゼンタ成分Ｏ．Ｄ．残存率）
ＢｋＣ―Ｍ＝１００×絶対値（シアン成分Ｏ．Ｄ．残存率―マゼンタ成分Ｏ．Ｄ．残存率）
【０３１３】
上記式より算出した３つの値（ＢｋＣ−Ｙ、ＢｋＭ−Ｙ及びＢｋＣ―Ｍ）を以下の評価基準に基づき、それぞれ評価した。これらの各値及びその評価結果を表５に示す。インバランス（ＢｋＣ−Ｙ、ＢｋＭ−Ｙ及びＢｋＣ―Ｍ）が１５以下の場合、インバランスは良好であると判断できる。
【０３１４】
（評価基準）
Ａ：インバランス＜１０        （インバランスが非常に良好）
Ｂ：１０≦インバランス≦１５  （インバランスが良好）
Ｃ：１５＜インバランス        （インバランスが不良）。
【０３１５】
【表５】
2018065382.tif 000047
【０３１６】
表５より明らかなように、実施例に記載の第１の感熱転写記録用シートを用いて形成した画像サンプルは、比較例の感熱転写記録用シートを用いて形成した画像サンプルと比較して、インバランスが良好であった。
【０３１７】
（ＩＩ）第２の感熱転写記録用シート
＜イエロー染料組成物の作製例１６＞
メチルエチルケトン４５部及びトルエン４５部の混合溶液に、ポリビニルブチラール樹脂（商品名：ＫＳ−３、積水化学（株）製）５部を少しずつ添加して溶解させた。この溶液に、以下のイエロー染料を添加して完全に溶解させることで、感熱転写記録用シート作製用のイエロー染料組成物（Ｙ１６）を得た。
・イエロー染料：
一般式（３）で表される化合物：  化合物（４３）          １．２５部
一般式（４）で表される化合物：  化合物（５１）          ２．５０部
既存のイエロー染料：            化合物（６６）          １．２５部
【０３１８】
＜イエロー染料組成物の作製例１７及び１８＞
イエロー染料組成物の作製例１６において、イエロー染料を表６に示すイエロー染料及び配合比に変更した以外は、この作製例１６と同じ方法で、イエロー染料組成物（Ｙ１７）及び（Ｙ１８）をそれぞれ作製した。その際、イエロー染料組成物（Ｙ１６〜Ｙ１８）中のイエロー染料の合計含有量は、それぞれ５質量部とした。
【０３１９】
【表６】
2018065382.tif 000048
【０３２０】
＜マゼンタ染料組成物の作製例１５〜１７＞
イエロー染料組成物の作製例１６において、イエロー染料を、表７に示すマゼンタ染料と配合比に変更した以外は、この作製例１６と同じ方法で、感熱転写記録用シート作製用のマゼンタ染料組成物（Ｍ１５）〜（Ｍ１７）をそれぞれ作製した。なお、その際、マゼンタ染料組成物（Ｍ１５〜Ｍ１７）中のマゼンタ染料の合計含有量は、それぞれ５質量部とした。
【０３２１】
【表７】
2018065382.tif 000049
【０３２２】
＜シアン染料組成物の作製例１４〜１６＞
イエロー染料組成物の作製例１６において、イエロー染料を、表８に示すシアン染料と配合比に変更した以外は、この作製例１６と同じ方法で、シアン染料組成物（Ｃ１４）〜（Ｃ１６）をそれぞれ作製した。なお、その際、シアン染料組成物（Ｃ１４〜Ｃ１６）中のシアン染料の合計含有量は、それぞれ５質量部とした。
【０３２３】
【表８】
2018065382.tif 000050
【０３２４】
＜保護層形成用組成物の作製例１＞
メチルエチルケトン４５部及びトルエン４５部の混合溶液にアクリル樹脂（三菱レイヨン（株）製、商品名：ダイアナールＢＲ−８５）１０部を少しずつ添加して溶解させた。その後この溶液に、化合物（１）０．５部を添加して完全に溶解させて、保護層形成用の塗布液（組成物）を調製した。
【０３２５】
＜保護層形成用組成物の作製例２〜１２＞
保護層形成用組成物の作製例１において、第１化合物を表９に示す化合物に変更し、さらに、アクリル樹脂との配合比を表９に示すように変更した以外は、この作製例１と同じ方法で、保護層形成用組成物（Ｈ２）〜（Ｈ１２）をそれぞれ作製した。
【０３２６】
【表９】
2018065382.tif 000051
【０３２７】
＜色材層シートの作製例１＞
基材として、厚さ４．５μｍのポリエチレンテレフタレートフィルム（商品名：ルミラー、東レ（株）製）を用い、この基材上に、乾燥後の厚みが１μｍになるようにイエロー染料組成物（Ｙ１６）を塗布し、乾燥することによって、イエロー染料層を形成した。
【０３２８】
次いで、イエロー染料組成物（Ｙ１６）の代わりに、マゼンタ染料組成物（Ｍ１５）を用いた以外はイエロー染料層と同じ方法で、イエロー染料層の隣の領域にマゼンタ染料層を形成した。
【０３２９】
同様にして、このマゼンタ染料層の隣の領域に、シアン染料組成物（Ｃ１４）を用いてシアン染料層を形成した。
【０３３０】
さらに、シアン染料層の隣の領域に、メチルエチルケトン４０部及びトルエン４０部の混合溶液にアクリル樹脂（商品名：ＢＲ８５  三菱レイヨン（株）製）２０部を添加した塗布液を、乾燥後の厚みが０．５μｍになるように塗布し、乾燥させて剥離層を形成した。
【０３３１】
続いて、この剥離層上に、乾燥後の厚みが２μｍになるようにこの保護層形成用組成物（塗布液）（Ｈ１）を塗布し、乾燥することによって、保護層を形成した。
【０３３２】
こうして、イエロー染料層、マゼンタ染料層、シアン染料層、及び保護層を有する色材層シート（Ｓ１）を作製した。
【０３３３】
＜色材層シートの作製例２〜１５＞
色材層シートの作製例１において、用いたイエロー染料組成物、マゼンタ染料組成物、シアン染料組成物、及び保護層形成用組成物を、表１０に示す組成物に変更した以外は、この作製例１と同様にして、色材層シート（Ｓ２）〜（Ｓ１５）をそれぞれ作製した。
【０３３４】
【表１０】
2018065382.tif 000052
【０３３５】
〔画像サンプルの作製〕
〔実施例３４〕
作製した色材層シート（Ｓ１）を用いて、Ｃａｎｏｎ製Ｓｅｌｐｈｙ（商品名）の改造機で、印画紙に画像を転写して画像サンプル（３９）を作製した。その際印画順は、イエロー、マゼンタ、シアン、及び保護層の順とした。イエロー、マゼンタ、及びシアンそれぞれについて、印画物の光学濃度（Ｏ．Ｄ．）が１．０になるように出力を調整し、重ねてブラック画像を印画し、画像サンプルとした。得られた画像サンプルを用いて、後述する評価を行った。なお、画像サンプルの測色は、反射濃度計ＳｐｅｃｔｒｏＬｉｎｏ（商品名、Ｇｒｅｔａｇ  Ｍａｃｂｅｔｈ社製）を用いて行った。
【０３３６】
〔実施例３５〜４６、比較例６、７〕
実施例３４において、使用する色材層シートを表１１に示すように変更した以外は、実施例３４と同様にして、画像サンプル４０〜５１、並びに画像サンプル５２及び５３（比較画像サンプル６及び７）を出力し、後述する評価を行った。
【０３３７】
【表１１】
2018065382.tif 000053
【０３３８】
［評価］
＜インバランス評価＞
実施例３４〜４６、比較例６、７で得られた画像サンプルをキセノン試験装置（商品名：ＡｔｌａｓＣｉ４０００、スガ試験機（株）製）に投入し、照度：３４０ｎｍで０．２８Ｗ／ｍ２、温度：４０℃、相対湿度：５０％の条件下、６０時間曝露した。
【０３３９】
初期の光学濃度（Ｏ．Ｄ．）をＯＤ０とし、６０時間曝露後のＯ．Ｄ．をＯＤ６０とした時、Ｏ．Ｄ．残存率を以下の数式２のように定義した。
（数式２）Ｏ．Ｄ．残存率＝ＯＤ６０／ＯＤ０
【０３４０】
この式に従い、ブラック画像中のシアン、マゼンタ、及びイエロー各成分のＯ．Ｄ．残存率を算出した。インバランスとして各Ｏ．Ｄ．残存率の差分の絶対値を以下のように算出した。
ＢｋＣ−Ｙ＝１００×絶対値（イエロー成分Ｏ．Ｄ．残存率―シアン成分Ｏ．Ｄ．残存率）
ＢｋＭ−Ｙ＝１００×絶対値（イエロー成分Ｏ．Ｄ．残存率―マゼンタ成分Ｏ．Ｄ．残存率）
ＢｋＣ―Ｍ＝１００×絶対値（シアン成分Ｏ．Ｄ．残存率―マゼンタ成分Ｏ．Ｄ．残存率）
【０３４１】
上記式より算出した３つの値（ＢｋＣ−Ｙ、ＢｋＭ−Ｙ、及びＢｋＣ―Ｍ）を以下の評価基準に基づき、それぞれ評価した。これらの各値及びその評価結果を表１２に示す。インバランス（ＢｋＣ−Ｙ、ＢｋＭ−Ｙ、及びＢｋＣ―Ｍ）が１５以下の場合、インバランスは良好であると判断できる。
【０３４２】
（評価基準）
Ａ：インバランス＜１０        （インバランスが非常に良好）
Ｂ：１０≦インバランス≦１５  （インバランスが良好）
Ｃ：１５＜インバランス        （インバランスが不良）。
【０３４３】
【表１２】
2018065382.tif 000054
【０３４４】
表１２より明らかなように、実施例に記載の第２の感熱転写記録用シートを用いて形成した画像サンプルは、比較例と比べてインバランスが良好であった。